(57)【要約】【課題】高精度で予知確率の高い高血圧の遺伝的リスクを診断する手段を提供する。【解決手段】以下の工程を含んでなる方法により高血圧のリスク診断を行う。（ｉ）高血圧との関連が認められた４個の遺伝子多型より選択される二つ以上の多型を解析する工程、（ｉｉ）前記工程によって得られる多型情報から核酸試料の遺伝子型を決定する工程、及び（ｉｉｉ）決定された遺伝子型から高血圧の遺伝的リスクを求める工程。【選択図】　　図１１
2004113094.tif 000002
【特許請求の範囲】
【請求項１】
以下の工程（ａ）を含んでなる、核酸試料の遺伝子型を検出する方法、
（ａ）核酸試料における、以下の（１）〜（４）からなるグループより選択される二つ以上の多型を解析する工程、
（１）グリコプロテインＩａ遺伝子の塩基番号１６４８位の多型、
（２）ケモカイン受容体２遺伝子の塩基番号１９０位の多型、
（３）アポリポプロテインＣ−ＩＩＩ遺伝子の塩基番号１１００位の多型、及び
（４）Ｇ−タンパク質β３サブユニット遺伝子の塩基番号８２５位の多型。
【請求項２】
以下の工程（ｂ）を含んでなる、核酸試料の遺伝子型を検出する方法、
（ｂ）核酸試料における、以下の（５）〜（８）からなるグループより選択される二つ以上の多型を解析する工程、
（５）腫瘍壊死因子α遺伝子の塩基番号−８５０位の多型、
（６）腫瘍壊死因子α遺伝子の塩基番号−２３８位の多型、
（７）インスリン受容体サブストレート１遺伝子の塩基番号３４９４位の多型、及び
（８）グリコプロテインＩｂα遺伝子の塩基番号１０１８位の多型。
【請求項３】
以下の工程（ｉ）〜（ｉｉｉ）を含んでなる、高血圧のリスク診断方法、
（ｉ）核酸試料における、以下の（１）〜（４）からなるグループより選択される二つ以上の多型を解析する工程、
（１）グリコプロテインＩａ遺伝子の塩基番号１６４８位の多型、
（２）ケモカイン受容体２遺伝子の塩基番号１９０位の多型、
（３）アポリポプロテインＣ−ＩＩＩ遺伝子の塩基番号１１００位の多型、及び
（４）Ｇ−タンパク質β３サブユニット遺伝子の塩基番号８２５位の多型、
（ｉｉ）前記工程によって得られる多型情報から核酸試料の遺伝子型を決定する工程、及び
（ｉｉｉ）決定された遺伝子型から高血圧の遺伝的リスクを求める工程。
【請求項４】
以下の工程（ｉｖ）〜（ｖｉ）を含んでなる、高血圧のリスク診断方法、
（ｉｖ）核酸試料における、以下の（５）〜（８）からなるグループより選択される二つ以上の多型を解析する工程、
（５）腫瘍壊死因子α遺伝子の塩基番号−８５０位の多型、
（６）腫瘍壊死因子α遺伝子の塩基番号−２３８位の多型、
（７）インスリン受容体サブストレート１遺伝子の塩基番号３４９４位の多型、及び
（８）グリコプロテインＩｂα遺伝子の塩基番号１０１８位の多型、
（ｖ）前記工程によって得られる多型情報から核酸試料の遺伝子型を決定する工程、及び
（ｖｉ）決定された遺伝子型から高血圧の遺伝的リスクを求める工程。
【請求項５】
以下の（１）〜（４）からなるグループより選択される二つ以上の核酸を含んでなる遺伝子型検出用キット、
（１）グリコプロテインＩａ遺伝子の塩基番号１６４８位の多型を解析するための核酸、
（２）ケモカイン受容体２遺伝子の塩基番号１９０位の多型を解析するための核酸、（３）アポリポプロテインＣ−ＩＩＩ遺伝子の塩基番号１１００位の多型を解析するための核酸、及び
（４）Ｇ−タンパク質β３サブユニット遺伝子の塩基番号８２５位の多型を解析するための核酸。
【請求項６】
以下の（５）〜（８）からなるグループより選択される二つ以上の核酸を含んでなる遺伝子型検出用キット、
（５）腫瘍壊死因子α遺伝子の塩基番号−８５０位の多型を解析するための核酸、
（６）腫瘍壊死因子α遺伝子の塩基番号−２３８位の多型を解析するための核酸、
（７）インスリン受容体サブストレート１遺伝子の塩基番号３４９４位の多型を解析するための核酸、及び
（８）グリコプロテインＩｂα遺伝子の塩基番号１０１８位の多型を解析するための核酸。
【請求項７】
以下の（１）〜（４）からなるグループより選択される二つ以上の核酸が不溶性支持体に固定されてなる固定化核酸、
（１）グリコプロテインＩａ遺伝子の塩基番号１６４８位の多型を解析するための核酸、
（２）ケモカイン受容体２遺伝子の塩基番号１９０位の多型を解析するための核酸、
（３）アポリポプロテインＣ−ＩＩＩ遺伝子の塩基番号１１００位の多型を解析するための核酸、及び
（４）Ｇ−タンパク質β３サブユニット遺伝子の塩基番号８２５位の多型を解析するための核酸。
【請求項８】
以下の（５）〜（８）からなるグループより選択される二つ以上の核酸が不溶性支持体に固定されてなる固定化核酸、
（５）腫瘍壊死因子α遺伝子の塩基番号−８５０位の多型を解析するための核酸、
（６）腫瘍壊死因子α遺伝子の塩基番号−２３８位の多型を解析するための核酸、
（７）インスリン受容体サブストレート１遺伝子の塩基番号３４９４位の多型を解析するための核酸、及び
（８）グリコプロテインＩｂα遺伝子の塩基番号１０１８位の多型を解析するための核酸。
【発明の詳細な説明】
【０００１】
【産業上の利用分野】
本発明は高血圧に関連する遺伝子を利用した検出方法に関する。詳しくは高血圧に関連する複数の遺伝子の多型を利用した検出方法及び該方法に用いられるキットに関する。高血圧を発症するリスクを求めることに本発明を利用できる。
【０００２】
【従来の技術】
高血圧は多因子疾患であり、個人個人の遺伝的背景と多様な環境因子の相互作用により発症が規定される（非特許文献１）。高血圧は冠動脈疾患、脳卒中、慢性腎疾患の主要な危険因子であるため、高血圧の予防は社会的・公衆衛生学的に重要である。高血圧を予防するための一つの方法は高血圧感受性遺伝子を同定することである。連鎖解析（非特許文献２〜４）および候補遺伝子による関連解析（非特許文献５〜８）により、高血圧と関連する染色体上のいくつかの遺伝子座および候補遺伝子群が同定された。今までにゲノム疫学的研究によりアンギオテンシノーゲン（非特許文献５）、α−アデューシン（非特許文献６）、Ｇタンパク質β３サブユニット（非特許文献７）、およびβ２アドレナリン受容体（非特許文献８）などの遺伝子多型と高血圧罹患との関連が報告されているが、高血圧感受性遺伝子は未だ十分に同定されていない。さらに、異なる人種では異なるゲノム多型を有するため、それぞれの人種で多型と高血圧との関連についてのデータベースを構築することが重要である。
【０００３】
【非特許文献１】
Ｌｉｆｔｏｎ　ＲＰ，　Ｇｈａｒａｖｉ　ＡＧ，　Ｇｅｌｌｅｒ　ＤＳ．　Ｍｏｌｅｃｕｌａｒ　ｍｅｃｈａｎｉｓｍｓ　ｏｆ　ｈｕｍａｎ　ｈｙｐｅｒｔｅｎｓｉｏｎ．　Ｃｅｌｌ．　２００１；１０４：５４５−５５６．
【非特許文献２】
Ｘｕ　Ｘ，　Ｒｏｇｕｓ　ＪＪ，　Ｔｅｒｗｅｄｏｗ　ＨＡ，　Ｙａｎｇ　Ｊ，　Ｗａｎｇ　Ｚ，　Ｃｈｅｎ　Ｃ，　Ｎｉｕ　Ｔ，　Ｗａｎｇ　Ｂ，　ＸｕＨ，　Ｗｅｉｓｓ　Ｓ，　Ｓｃｈｏｒｋ　ＮＪ，　Ｆａｎｇ　Ｚ．　Ａｎ　ｅｘｔｒｅｍｅ−ｓｉｂ−ｐａｉｒ　ｇｅｎｏｍｅ　ｓｃａｎ　ｆｏｒ　ｇｅｎｅｓ　ｒｅｇｕｌａｔｉｎｇ　ｂｌｏｏｄ　ｐｒｅｓｓｕｒｅ．　Ａｍ　Ｊ　Ｈｕｍ　Ｇｅｎｅｔ．　１９９９；６４：１６９４−１７０１．
【非特許文献３】
Ｋｒｕｓｈｋａｌ　Ｊ，　Ｆｅｒｒｅｌｌ　Ｒ，　Ｍｏｃｋｒｉｎ　ＳＣ，　Ｔｕｒｎｅｒ　ＳＴ，　Ｓｉｎｇ　ＣＦ，　Ｂｏｅｒｗｉｎｋｌｅ　Ｅ．　Ｇｅｎｏｍｅ−ｗｉｄｅ　ｌｉｎｋａｇｅ　ａｎａｌｙｓｉｓ　ｏｆ　ｓｙｓｔｏｌｉｃ　ｂｌｏｏｄ　ｐｒｅｓｓｕｒｅ　ｕｓｉｎｇ　ｈｉｇｈｌｙ　ｄｉｓｃｏｒｄａｎｔ　ｓｉｂｌｉｎｇｓ．　Ｃｉｒｃｕｌａｔｉｏｎ．　１９９９；９９：１４０７−１４１．
【非特許文献４】
Ｒｉｃｅ　Ｔ，　Ｒａｎｋｉｎｅｎ　Ｔ，　Ｐｒｏｖｉｎｃｅ　ＭＡ，　Ｃｈａｇｎｏｎ　ＹＣ，　Ｐｅｒｕｓｓｅ　Ｌ，　Ｂｏｒｅｃｋｉ　ＩＢ，　Ｂｏｕｃｈａｒｄ　Ｃ，　Ｒａｏ　ＤＣ．　Ｇｅｎｏｍｅ−ｗｉｄｅ　ｌｉｎｋａｇｅ　ａｎａｌｙｓｉｓ　ｏｆ　ｓｙｓｔｏｌｉｃ　ａｎｄ　ｄｉａｓｔｏｌｉｃｂｌｏｏｄ　ｐｒｅｓｓｕｒｅ：　ｔｈｅ　Ｑｕｅｂｅｃ　Ｆａｍｉｌｙ　Ｓｔｕｄｙ．　Ｃｉｒｃｕｌａｔｉｏｎ．　２０００；１０２：１９５６−１９６３．
【非特許文献５】
Ｊｅｕｎｅｍａｉｔｒｅ　Ｘ，　Ｓｏｕｂｒｉｅｒ　Ｆ，　Ｋｏｔｅｌｅｖｔｓｅｖ　ＹＶ，　Ｌｉｆｔｏｎ　ＲＰ，　Ｗｉｌｌｉａｍｓ　ＣＳ，　Ｃｈａｒｒｕ　Ａ，　Ｈｕｎｔ　ＳＣ，　Ｈｏｐｋｉｎｓ　ＰＮ，　Ｗｉｌｌｉａｍｓ　ＲＲ，　Ｌａｌｏｕｅｌ　Ｊ−Ｍ，　Ｃｏｒｖｏｌ　Ｐ．　Ｍｏｌｅｃｕｌａｒ　ｂａｓｉｓ　ｏｆ　ｈｕｍａｎ　ｈｙｐｅｒｔｅｎｓｉｏｎ：　ｒｏｌｅ　ｏｆ　ａｎｇｉｏｔｅｎｓｉｎｏｇｅｎ．　Ｃｅｌｌ．　１９９２；７１：１６９−１８０．
【非特許文献６】
Ｃｕｓｉ　Ｄ，　Ｂａｒｌａｓｓｉｎａ　Ｃ，　Ａｚｚａｎｉ　Ｔ，　Ｃａｓａｒｉ　Ｇ，　Ｃｉｔｔｅｒｉｏ　Ｌ，　Ｄｅｖｏｔｏ　Ｍ，　Ｇｌｏｒｉｓｏ　Ｎ，　Ｌａｎｚａｎｉ　Ｃ，　Ｍａｎｕｎｔａ　Ｐ，　Ｒｉｇｈｅｔｔｉ　Ｍ，　Ｒｉｖｅｒａ　Ｒ，　Ｓｔｅｌｌａ　Ｐ，　Ｔｒｏｆｆａ　Ｃ，　Ｚａｇａｔｏ　Ｌ，　Ｂｉａｎｃｈｉ　Ｇ．　Ｐｏｌｙｍｏｒｐｈｉｓｍｓ　ｏｆ　ａ−ａｄｄｕｃｉｎ　ａｎｄ　ｓａｌｔ　ｓｅｎｓｉｔｉｖｉｔｙ　ｉｎ　ｐａｔｉｅｎｔｓ　ｗｉｔｈ　ｅｓｓｅｎｔｉａｌ　ｈｙｐｅｒｔｅｎｓｉｏｎ．　Ｌａｎｃｅｔ．　１９９７；３４９：１３５３−１３５７．
【非特許文献７】
Ｓｉｆｆｅｒｔ　Ｗ，　Ｒｏｓｓｋｏｐ　Ｄ，　Ｓｉｆｆｅｒｔ　Ｇ，　Ｂｕｓｃｈ　Ｓ，　Ｍｏｒｉｔｚ　Ａ，　Ｅｒｂｅｌ　Ｒ，　Ｓｈａｒｍａ　ＡＭ，　Ｒｉｔｚ　Ｅ，　Ｗｉｃｈｍａｎｎ　Ｈ−Ｅ，　Ｊａｋｏｂｓ　ＫＨ，　Ｈｏｒｓｔｈｅｍｋｅ　Ｂ．　Ａｓｓｏｃｉａｔｉｏｎ　ｏｆ　ａ　ｈｕｍａｎ　Ｇ−ｐｒｏｔｅｉｎ　ｂ３　ｓｕｂｕｎｉｔ　ｖａｒｉａｎｔ　ｗｉｔｈ　ｈｙｐｅｒｔｅｎｓｉｏｎ．　Ｎａｔ　Ｇｅｎｅｔ．　１９９８；１８：４５−４８．
【非特許文献８】
Ｂｒａｙ　ＭＳ，　Ｋｒｕｓｈｋａｌ　Ｊ，　Ｌｉ　Ｌ，　Ｆｅｒｒｅｌｌ　Ｒ，　Ｋａｒｄｉａ　Ｓ，　Ｓｉｎｇ　ＣＦ，　Ｔｕｒｎｅｒ　ＳＴ，　Ｂｏｅｒｗｉｎｋｌｅ　Ｅ．　Ｐｏｓｉｔｉｏｎａｌ　ｇｅｎｏｍｉｃ　ａｎａｌｙｓｉｓ　ｉｄｅｎｔｉｆｉｅｓ　ｔｈｅ　ｂ２−ａｄｒｅｎｅｒｇｉｃ　ｒｅｃｅｐｔｏｒ　ｇｅｎｅ　ａｓ　ａ　ｓｕｓｃｅｐｔｉｂｉｌｉｔｙ　ｌｏｃｕｓ　ｆｏｒ　ｈｙｐｅｒｔｅｎｓｉｏｎ．　Ｃｉｒｃｕｌａｔｉｏｎ．　２０００；１０１：２８７７−２８８２．
【０００４】
【発明が解決しようとする課題】
以上のように、今までに数多くの遺伝子多型と高血圧との関連解析が行われてきた。しかし多くの研究についてはその意義について一定の見解は得られていない。その主な理由は多くの研究においては対象集団の大きさが十分でないことと、遺伝子多型のみならず環境因子が人種間で異なっていることに起因する。さらに、たとえ高血圧との関連が認められたとしても、大規模集団における解析では相対危険度（オッズ比）が低いのが一般的である。
本発明は以上の背景に鑑みなされたものであって、その目的は高精度で予知確率の高い高血圧の遺伝子リスクを診断する手段を提供し、高血圧の一次予防に貢献することである。
【０００５】
【課題を解決するための手段】
本発明者らは、以上の目的を達成するために数種類の公的データベースを用いて冠動脈硬化、冠動脈攣縮、高血圧、糖尿病、高脂血症などとの関連が推定される７１遺伝子を抜粋し、遺伝子の機能変化との関連が予想されるものなどを中心に１１２多型を選択した。続いて、この７１遺伝子１１２多型に関して心筋梗塞との関連解析を心筋梗塞４４５例と対照４６４例について行い、男性で１９個、女性で１８個の一塩基多型（ＳＮＰ：ｓｉｎｇｌｅ　ｎｕｃｌｅｏｔｉｄｅ　ｐｏｌｙｍｏｒｐｈｉｓｍ）が心筋梗塞発症と関連することを見出したが（Ｙａｍａｄａ　Ｙ，　Ｉｚａｗａ　Ｈ，　Ｉｃｈｉｈａｒａ　Ｓ，　ｅｔ　ａｌ．　Ｐｒｅｄｉｃｔｉｏｎ　ｏｆ　ｒｉｓｋ　ｏｆ　ｍｙｏｃａｒｄｉａｌ　ｉｎｆａｒｃｔｉｏｎ　ｆｒｏｍ　ｐｏｌｙｍｏｒｐｈｉｓｍｓ　ｉｎ　ｃａｎｄｉｄａｔｅ　ｇｅｎｅｓ．　Ｎ　Ｅｎｇｌ　Ｊ　Ｍｅｄ．　ｉｎ　ｐｒｅｓｓ．）、それらの多型群の中には高血圧の候補遺伝子も含まれていた。そこで、これらのＳＮＰと高血圧との関連について大規模関連解析を行った。その結果、高血圧と関連するＳＮＰを男性で４個、女性で４個同定することに成功した。更に、これらの多型を組み合わせて解析する多項ロジスティック回帰分析のｓｔｅｐｗｉｓｅ　ｆｏｒｗａｒｄ　ｓｅｌｅｃｔｉｏｎ　ｍｅｔｈｏｄにより、最大オッズ比が男性で５．３４、女性で４６．８６を呈し、過去に報告された関連解析の中で最大のオッズ比を示した。この結果から、これらのＳＮＰの中から複数のＳＮＰを選択し、各ＳＮＰを解析した結果を組み合わせて用いれば、信頼性が高く、予知確率の高い高血圧のリスク診断が行えるとの知見が得られた。本発明は以上の知見に基づくものであって、次の構成を提供する。
［１］　以下の工程（ａ）を含んでなる、核酸試料の遺伝子型を検出する方法、
（ａ）核酸試料における、以下の（１）〜（４）からなるグループより選択される二つ以上の多型を解析する工程、
（１）グリコプロテインＩａ遺伝子の塩基番号１６４８位の多型、
（２）ケモカイン受容体２遺伝子の塩基番号１９０位の多型、
（３）アポリポプロテインＣ−ＩＩＩ遺伝子の塩基番号１１００位の多型、及び
（４）Ｇ−タンパク質β３サブユニット遺伝子の塩基番号８２５位の多型。
［２］　以下の工程（ｂ）を含んでなる、核酸試料の遺伝子型を検出する方法、
（ｂ）核酸試料における、以下の（５）〜（８）からなるグループより選択される二つ以上の多型を解析する工程、
（５）腫瘍壊死因子α遺伝子の塩基番号−８５０位の多型、
（６）腫瘍壊死因子α遺伝子の塩基番号−２３８位の多型、
（７）インスリン受容体サブストレート１遺伝子の塩基番号３４９４位の多型、及び
（８）グリコプロテインＩｂα遺伝子の塩基番号１０１８位の多型。
［３］　以下の工程（ｉ）〜（ｉｉｉ）を含んでなる、高血圧のリスク診断方法、
（ｉ）核酸試料における、以下の（１）〜（４）からなるグループより選択される二つ以上の多型を解析する工程、
（１）グリコプロテインＩａ遺伝子の塩基番号１６４８位の多型、
（２）ケモカイン受容体２遺伝子の塩基番号１９０位の多型、
（３）アポリポプロテインＣ−ＩＩＩ遺伝子の塩基番号１１００位の多型、及び
（４）Ｇ−タンパク質β３サブユニット遺伝子の塩基番号８２５位の多型、
（ｉｉ）前記工程によって得られる多型情報から核酸試料の遺伝子型を決定する工程、及び
（ｉｉｉ）決定された遺伝子型から高血圧の遺伝的リスクを求める工程。
［４］　以下の工程（ｉｖ）〜（ｖｉ）を含んでなる、高血圧のリスク診断方法、
（ｉｖ）核酸試料における、以下の（５）〜（８）からなるグループより選択される二つ以上の多型を解析する工程、
（５）腫瘍壊死因子α遺伝子の塩基番号−８５０位の多型、
（６）腫瘍壊死因子α遺伝子の塩基番号−２３８位の多型、
（７）インスリン受容体サブストレート１遺伝子の塩基番号３４９４位の多型、及び
（８）グリコプロテインＩｂα遺伝子の塩基番号１０１８位の多型、
（ｖ）前記工程によって得られる多型情報から核酸試料の遺伝子型を決定する工程、及び
（ｖｉ）決定された遺伝子型から高血圧の遺伝的リスクを求める工程。
［５］　以下の（１）〜（４）からなるグループより選択される二つ以上の核酸を含んでなる遺伝子型検出用キット、
（１）グリコプロテインＩａ遺伝子の塩基番号１６４８位の多型を解析するための核酸、
（２）ケモカイン受容体２遺伝子の塩基番号１９０位の多型を解析するための核酸、（３）アポリポプロテインＣ−ＩＩＩ遺伝子の塩基番号１１００位の多型を解析するための核酸、及び
（４）Ｇ−タンパク質β３サブユニット遺伝子の塩基番号８２５位の多型を解析するための核酸。
［６］　以下の（５）〜（８）からなるグループより選択される二つ以上の核酸を含んでなる遺伝子型検出用キット、
（５）腫瘍壊死因子α遺伝子の塩基番号−８５０位の多型を解析するための核酸、
（６）腫瘍壊死因子α遺伝子の塩基番号−２３８位の多型を解析するための核酸、
（７）インスリン受容体サブストレート１遺伝子の塩基番号３４９４位の多型を解析するための核酸、及び
（８）グリコプロテインＩｂα遺伝子の塩基番号１０１８位の多型を解析するための核酸。
［７］　以下の（１）〜（４）からなるグループより選択される二つ以上の核酸が不溶性支持体に固定されてなる固定化核酸、
（１）グリコプロテインＩａ遺伝子の塩基番号１６４８位の多型を解析するための核酸、
（２）ケモカイン受容体２遺伝子の塩基番号１９０位の多型を解析するための核酸、
（３）アポリポプロテインＣ−ＩＩＩ遺伝子の塩基番号１１００位の多型を解析するための核酸、及び
（４）Ｇ−タンパク質β３サブユニット遺伝子の塩基番号８２５位の多型を解析するための核酸。
［８］　以下の（５）〜（８）からなるグループより選択される二つ以上の核酸が不溶性支持体に固定されてなる固定化核酸、
（５）腫瘍壊死因子α遺伝子の塩基番号−８５０位の多型を解析するための核酸、
（６）腫瘍壊死因子α遺伝子の塩基番号−２３８位の多型を解析するための核酸、
（７）インスリン受容体サブストレート１遺伝子の塩基番号３４９４位の多型を解析するための核酸、及び
（８）グリコプロテインＩｂα遺伝子の塩基番号１０１８位の多型を解析するための核酸。
【０００６】
【発明の実施の形態】
本発明の第１の局面は核酸試料の遺伝子型を検出する方法に関し、その一態様は以下の（１）〜（４）からなるグループより選択される二つ以上の多型を解析する工程を含むことを特徴とする。他の態様としては、以下の（５）〜（８）からなるグループより選択される二つ以上の多型を解析する工程を含むことを特徴とする。尚、以上の工程の結果得られる多型情報から核酸試料の遺伝子型を決定することにより高血圧の遺伝的リスクを求めることができる。
（１）グリコプロテインＩａ（Ｇｌｙｃｏｐｒｏｔｅｉｎ　Ｉａ）遺伝子の塩基番号１６４８位の多型：１６４８Ａ→Ｇ（以下、「ＧＰＩａ（１６４８Ａ→Ｇ）多型」ともいう）
（２）ケモカイン受容体２（Ｃｈｅｍｏｋｉｎｅ　ｒｅｃｅｐｔｏｒ　２）遺伝子の塩基番号１９０位の多型：１９０Ｇ→Ａ（以下、「ＣＣＲ２（１９０Ｇ→Ａ）多型」ともいう）
（３）アポリポプロテインＣ−ＩＩＩ（Ａｐｏｌｉｐｏｐｒｏｔｅｉｎ　Ｃ−ＩＩＩ）遺伝子の塩基番号１１００位の多型：１１００Ｃ→Ｔ（以下、「ＡｐｏＣ−ＩＩＩ（１１００Ｃ→Ｔ）多型」ともいう）
（４）Ｇ−タンパク質β３サブユニット（Ｇ−ｐｒｏｔｅｉｎ　β３　ｓｕｂｕｎｉｔ）遺伝子の塩基番号８２５位の多型：８２５Ｃ→Ｔ（以下、「ＧＰβ３（８２５Ｃ→Ｔ）多型」ともいう）
（５）腫瘍壊死因子α（Ｔｕｍｏｒ　ｎｅｃｒｏｓｉｓ　ｆａｃｔｏｒ−α）遺伝子の塩基番号−８５０位の多型：−８５０Ｃ→Ｔ（以下、「ＴＮＦα（−８５０Ｃ→Ｔ）多型」ともいう）
（６）腫瘍壊死因子α（Ｔｕｍｏｒ　ｎｅｃｒｏｓｉｓ　ｆａｃｔｏｒ−α）遺伝子の塩基番号−２３８位の多型：−２３８Ｇ→Ａ（以下、「ＴＮＦα（−２３８Ｇ→Ａ）多型」ともいう）
（７）インスリン受容体サブストレート１（Ｉｎｓｕｌｉｎ　ｒｅｃｅｐｔｏｒ　ｓｕｂｓｔｒａｔｅ−１）遺伝子の塩基番号３４９４位の多型：３４９４Ｇ→Ａ（以下、「ＩＲＳ−１（３４９４Ｇ→Ａ）多型」ともいう）
（８）グリコプロテインＩｂα（Ｇｌｙｃｏｐｒｏｔｅｉｎ　Ｉｂα）遺伝子の塩基番号１０１８位の多型：１０１８Ｃ→Ｔ（以下、「ＧＰＩｂα（１０１８Ｃ→Ｔ）多型」ともいう）
【０００７】
以上において１６４８Ａ→Ｇのような表記は、当該塩基番号位置の多型が矢印の前又は後の塩基である二つの遺伝子型からなることを意味する。
【０００８】
各遺伝子における塩基番号は公共のデータベースであるＧｅｎＢａｎｋ（ＮＣＢＩ）に登録されている公知の配列を基準として表される。尚、配列番号１の塩基配列（Ａｃｃｅｓｓｉｏｎ　Ｎｏ．Ｘ１７０３３　Ｍ２８２４９：Ｈｕｍａｎ　ｍＲＮＡ　ｆｏｒ　ｉｎｔｅｇｒｉｎ　ａｌｐｈａ−２　ｓｕｂｕｎｉｔ）において１６４８番目の塩基がグリコプロテインＩａ遺伝子の１６４８位塩基に相当する。同様に配列番号２の塩基配列（Ａｃｃｅｓｓｉｏｎ　Ｎｏ．Ｕ９５６２６：Ｈｏｍｏ　ｓａｐｉｅｎｓ　ｃｃｒ２ｂ　（ｃｃｒ２），　ｃｃｒ２ａ　（ｃｃｒ２），　ｃｃｒ５　（ｃｃｒ５）　ａｎｄ　ｃｃｒ６（ｃｃｒ６）　ｇｅｎｅｓ，　ｃｏｍｐｌｅｔｅ　ｃｄｓ，　ａｎｄ　ｌａｃｔｏｆｅｒｒｉｎ　（ｌａｃｔｏｆｅｒｒｉｎ）　ｇｅｎｅ，　ｐａｒｔｉａｌ　ｃｄｓ，　ｃｏｍｐｌｅｔｅ　ｓｅｑｕｅｎｃｅ（但し、配列番号２の配列は５０，０００番目までの配列））において４６２９５番目の塩基がケモカイン受容体２遺伝子の１９０位塩基に相当し、配列番号３の塩基配列（Ａｃｃｅｓｓｉｏｎ　Ｎｏ．　Ｘ０１３９２：Ｈｕｍａｎ　ａｐｏｌｉｐｏｐｒｏｔｅｉｎ　ＣＩＩＩ　ｇｅｎｅ　ａｎｄ　ａｐｏ　ＡＩ−ａｐｏ　ＣＩＩＩ　ｉｎｔｅｒｇｅｎｉｃ）において１１００番目の塩基がアポリポプロテインＣ−ＩＩＩ遺伝子の１１００位塩基に相当し、配列番号４の塩基配列（Ａｃｃｅｓｓｉｏｎ　Ｎｏ．　Ｍ３１３２８：Ｈｕｍａｎ　ｇｕａｎｉｎｅ　ｎｕｃｌｅｏｔｉｄｅ−ｂｉｎｄｉｎｇ　ｐｒｏｔｅｉｎ　ｂｅｔａ−３　ｓｕｂｕｎｉｔ　ｍＲＮＡ，　ｃｏｍｐｌｅｔｅ　ｃｄｓ．）において８３１番目の塩基がＧ−タンパク質β３サブユニット遺伝子の８２５位塩基に相当し、配列番号５の塩基配列（Ａｃｃｅｓｓｉｏｎ　Ｎｏ．　Ｌ１１６９８：Ｈｏｍｏ　ｓａｐｉｅｎｓ　ｔｕｍｏｒ　ｎｅｃｒｏｓｉｓ　ｆａｃｔｏｒ　ａｌｐｈａ　ｇｅｎｅ，ｐｒｏｍｏｔｅｒ　ｒｅｇｉｏｎ．）において２０３番目の塩基が腫瘍壊死因子α遺伝子の−８５０位塩基に相当し、配列番号５の塩基配列（Ａｃｃｅｓｓｉｏｎ　Ｎｏ．　Ｌ１１６９８：Ｈｏｍｏ　ｓａｐｉｅｎｓ　ｔｕｍｏｒ　ｎｅｃｒｏｓｉｓ　ｆａｃｔｏｒ　ａｌｐｈａ　ｇｅｎｅ，　ｐｒｏｍｏｔｅｒ　ｒｅｇｉｏｎ．）において８１６番目の塩基が腫瘍壊死因子α遺伝子の−２３８位塩基に相当し、配列番号６の塩基配列（Ａｃｃｅｓｓｉｏｎ　Ｎｏ．　Ｓ８５９６３：ｈＩＲＳ−１＝ｒａｔ　ｉｎｓｕｌｉｎ　ｒｅｃｅｐｔｏｒ　ｓｕｂｓｔｒａｔｅ−１　ｈｏｍｏｌｏｇ　［ｈｕｍａｎ，　ｃｅｌｌ　ｌｉｎｅ　ＦＯＣＵＳ，　Ｇｅｎｏｍｉｃ，　６１５２　ｎｔ］．）において３４９４番目の塩基がインスリン受容体サブストレート１遺伝子の塩基番号３４９４位塩基に相当し、配列番号７の塩基配列（Ａｃｃｅｓｓｉｏｎ　Ｎｏ．　Ｊ０２９４０：Ｈｕｍａｎ　ｐｌａｔｅｌｅｔ　ｇｌｙｃｏｐｒｏｔｅｉｎ　Ｉｂ　ａｌｐｈａ　ｃｈａｉｎ　ｍＲＮＡ，　ｃｏｍｐｌｅｔｅ　ｃｄｓ．）において５２４番目の塩基がグリコプロテインＩｂα遺伝子の１０１８位塩基に相当する。
【０００９】
本発明において「多型を解析する」とは、解析対象の遺伝子多型について核酸試料がどのような遺伝子型を有するかを調べることを意味し、多型が存在する位置の塩基（塩基配列）を調べることと同義である。典型的には、ＧＰＩａ（１６４８Ａ→Ｇ）多型の解析を例に採れば、核酸試料におけるグリコプロテインＩａの遺伝子型がＡＡ（１６４８位塩基が両アレル共にＡのホモ接合体）、ＡＧ（１６４８位塩基がＡのアレルとＧのアレルとのヘテロ接合体）、及びＧＧ（１６４８位塩基が両アレル共にＧのホモ接合体）の中のいずれであるかを調べることを意味する。
【００１０】
上記の（１）〜（４）の多型は、後述の実施例で示されるように、日本人男性を対象とした解析において高血圧の遺伝的リスクの判定に利用することが特に有効と認められた多型である。従ってこれらの多型を解析対象とすることは、被験者として男性（特に日本人男性）を採用するときに、より高精度で予知確率の高い診断を可能とする。
【００１１】
同様に上記の（５）〜（８）の多型は、後述の実施例で示されるように、日本人女性を対象とした解析において高血圧の遺伝的リスクの判定に利用することが特に有効と認められた多型である。従ってこれらの多型を解析対象とすることは、被験者として女性（特に日本人女性）を採用するときに、より高精度で予知確率の高い診断を可能とする。
【００１２】
ここで、原則的には解析する多型の数の増加に比例して核酸試料の遺伝子型がより細かく分類され、これによって一層予知確率の高い高血圧の遺伝的リスクの診断を行うことができる。かかる見地から、上記の（１）〜（４）の多型の中でより多くの多型を解析して遺伝子型を検出することが好ましい。従って、（１）〜（４）のすべての多型を解析することが最も好ましい。三つ以下の多型を組み合わせて遺伝子型の検出を行う場合には、後述の実施例で示されるオッズ比の高い多型を優先的に選択して用いることが好ましい。例えば三つの多型を組み合わせて用いるのであれば、オッズ比が上位である三つの多型、即ち（２）、（３）、及び（４）を選択することが好ましい。同様に例えば二つの多型を組み合わせて用いるのであれば（２）及び（４）を選択することが好ましい。
【００１３】
（５）〜（８）の多型から選択される二つ以上の多型を解析する場合も同様に、これらすべての多型、即ち四つの多型を解析することが最も好ましい。三つ以下の多型を組み合わせて遺伝子型の検出を行う場合には、後述の実施例で示されるオッズ比の高い多型を優先的に選択して用いることが好ましい。例えば三つの多型を組み合わせて用いるのであれば（５）、（７）、及び（８）を選択することが好ましい。同様に例えば二つの多型を組み合わせて用いるのであれば（５）及び（７）を選択することが好ましい。
【００１４】
各遺伝子多型を解析する方法は特に限定されるものではなく例えばアリル特異的プライマー（及びプローブ）を用い、ＰＣＲ法による増幅、及び増幅産物の多型を蛍光又は発光によって解析する方法や、ＰＣＲ（ｐｏｌｙｍｅｒａｓｅ　ｃｈａｉｎ　ｒｅａｃｔｉｏｎ）法を利用したＰＣＲ−ＲＦＬＰ（ｒｅｓｔｒｉｃｔｉｏｎ　ｆｒａｇｍｅｎｔ　ｌｅｎｇｔｈ　ｐｏｌｙｍｏｒｐｈｉｓｍ：制限酵素断片長多型）法、ＰＣＲ−ＳＳＣＰ（ｓｉｎｇｌｅ　ｓｔｒａｎｄ　ｃｏｎｆｏｒｍａｔｉｏｎ　ｐｏｌｙｍｏｒｐｈｉｓｍ：単鎖高次構造多型）法（Ｏｒｉｔａ，Ｍ．　ｅｔ　ａｌ．，　Ｐｒｏｃ．　Ｎａｔｌ．　Ａｃａｄ．　Ｓｃｉ．，　Ｕ．Ｓ．Ａ．，　８６，　２７６６−２７７０（１９８９）等）、ＰＣＲ−ＳＳＯ（ｓｐｅｃｉｆｉｃ　ｓｅｑｕｅｎｃｅ　ｏｌｉｇｏｎｕｃｌｅｏｔｉｄｅ：特異的配列オリゴヌクレオチド）法、ＰＣＲ−ＳＳＯ法とドットハイブリダイゼーション法を組み合わせたＡＳＯ（ａｌｌｅｌｅ　ｓｐｅｃｉｆｉｃ　ｏｌｉｇｏｎｕｃｌｅｏｔｉｄｅ：アレル特異的オリゴヌクレオチド）ハイブリダイゼーション法（Ｓａｉｋｉ，　Ｎａｔｕｒｅ，　３２４，　１６３−１６６（１９８６）等）、又はＴａｑＭａｎ−ＰＣＲ法（Ｌｉｖａｋ，　ＫＪ，　Ｇｅｎｅｔ　Ａｎａｌ，１４，１４３（１９９９），Ｍｏｒｒｉｓ，　Ｔ．　ｅｔ　ａｌ．，　Ｊ．　Ｃｌｉｎ．　Ｍｉｃｒｏｂｉｏｌ．，３４，２９３３（１９９６））、Ｉｎｖａｄｅｒ法（Ｌｙａｍｉｃｈｅｖ　Ｖ　ｅｔ　ａｌ．，　Ｎａｔ　Ｂｉｏｔｅｃｈｎｏｌ，１７，２９２（１９９９））、プライマー伸長法を用いたＭＡＬＤＩ−ＴＯＦ／ＭＳ（ｍａｔｒｉｘ）法（Ｈａｆｆ　ＬＡ，　ＳｍｉｒｎｏｖＩＰ，　Ｇｅｎｏｍｅ　Ｒｅｓ　７，３７８（１９９７））、ＲＣＡ（ｒｏｌｌｉｎｇ　ｃｙｃｌｅ　ａｍｐｌｉｆｉｃａｔｉｏｎ）法（ＬｉｚａｒｄｉＰＭ　ｅｔ　ａｌ．，　Ｎａｔ　　Ｇｅｎｅｔ　１９，２２５（１９９８））、ＤＮＡチップ又はマイクロアレイを用いた方法（Ｗａｎｇ　ＤＧ　ｅｔ　ａｌ．，　Ｓｃｉｅｎｃｅ　２８０，１０７７（１９９８）等）、プライマー伸長法、サザンブロットハイブリダイゼーション法、ドットハイブリダイゼーション法（Ｓｏｕｔｈｅｒｎ，Ｅ．，　Ｊ．　Ｍｏｌ．　Ｂｉｏｌ．　９８，　５０３−５１７（１９７５））等、公知の方法を採用できる。さらに、解析対象の多型部分を直接シークエンスすることにより解析してもよい。尚、これらの方法を任意に組み合わせて多型解析を行ってもよい。
【００１５】
核酸試料が少量の場合には検出感度ないし精度の面からＰＣＲ法を利用した方法（例えばＰＣＲ−ＲＦＬＰ法）により解析することが好ましい。また、ＰＣＲ法又はＰＣＲ法を応用した方法などの遺伝子増幅法により核酸試料を予め増幅（核酸試料の一部領域の増幅を含む）した後、上記いずれかの解析方法を適用することもできる。
一方、多数の核酸試料を解析する場合には、アリル特異的ＰＣＲ法、アリル特異的ハイブリダイゼーション法、ＴａｑＭａｎ−ＰＣＲ法、Ｉｎｖａｄｅｒ法、プライマー伸長法を用いたＭＡＬＤＩ−ＴＯＦ／ＭＳ（ｍａｔｒｉｘ）法、ＲＣＡ（ｒｏｌｌｉｎｇ　ｃｙｃｌｅ　ａｍｐｌｉｆｉｃａｔｉｏｎ）法、又はＤＮＡチップ又はマイクロアレイを用いた方法等、多数の検体を比較的短時間で解析することが可能な解析方法を用いることが特に好ましい。
【００１６】
以上の方法では、各方法に応じたプライマーやプローブ等の核酸（本発明において、「多型解析用核酸」ともいう）が使用される。多型解析用核酸の例としては、解析対象の多型を含む遺伝子において、当該多型部位を含む一定領域（部分ＤＮＡ領域）に相補的な配列を有する核酸を挙げることができる。また、解析対象の多型を含む遺伝子において当該多型部位を含む一定領域（部分ＤＮＡ領域）に相補的な配列を有し、当該多型部分を含むＤＮＡフラグメントを特異的に増幅できるように設計された核酸（プライマー）を挙げることができる。このような核酸としては、例えばグリコプロテインＩａ遺伝子の１６４８位の多型が解析対象の場合には１６４８位の塩基がＡ（アデニン）であるグリコプロテインＩａ遺伝子の１６４８位塩基を含む部分ＤＮＡ領域に相補的な配列を有する核酸、又は１６４８位の塩基がＧ（グアニン）であるグリコプロテインＩａ遺伝子の１６４８位塩基を含む部分ＤＮＡ領域に相補的な配列を有する核酸が該当する。
【００１７】
多型解析用核酸の他の具体例としては、解析対象の多型部位がいずれかの遺伝子型である場合にのみ当該多型部位を含む部分ＤＮＡ領域を特異的に増幅するように設計された核酸セットを挙げることができる。より具体的には解析対象の多型部位を含む部分ＤＮＡ領域を特異的に増幅するように設計された核酸セットであって、多型部位がいずれかの遺伝子型であるアンチセンス鎖の当該多型部位を含む部分ＤＮＡ領域に対して特異的にハイブリダイズするセンスプライマーと、センス鎖の一部領域に対して特異的にハイブリダイズするアンチセンスプライマーとからなる核酸セットを例示することができる。このような核酸セットとしてはグリコプロテインＩａ遺伝子の１６４８位の多型が解析対象の場合には、グリコプロテインＩａ遺伝子の１６４８位塩基を含む部分ＤＮＡ領域を特異的に増幅するように設計された核酸セットであって、１６４８位塩基がＡ（アデニン）であるグリコプロテインＩａ遺伝子のアンチセンス鎖において１６４８位塩基を含む部分ＤＮＡ領域に対して特異的にハイブリダイズするセンスプライマーと、センス鎖の一部領域に対して特異的にハイブリダイズするアンチセンスプライマーとからなる核酸セット、又は１６４８位塩基がＧ（グアニン）であるグリコプロテイン遺伝子のアンチセンス鎖において１６４８位塩基を含む部分ＤＮＡ領域に対して特異的にハイブリダイズするセンスプライマーと、センス鎖の一部領域に対して特異的にハイブリダイズするアンチセンスプライマーとからなる核酸セットが該当する。ここで、増幅される部分ＤＮＡ領域の長さはその検出に適した範囲で適宜設定され例えば５０ｂｐ〜２００ｂｐ、好ましくは８０ｂｐ〜１５０ｂｐである。より具体的には例えば、ＧＰＩａ（１６４８Ａ→Ｇ）多型解析用の核酸プライマーとして次の配列を有するものを例示できる。尚、以下の配列の下線部は多型に対応する部分を表す。また、配列中のＮはＡ、Ｔ、Ｃ、及びＧのいずれかであることを意味する。
【００１８】
2004113094.tif 000003
【００１９】
同様に、ＣＣＲ２（１９０Ｇ→Ａ）多型解析用の核酸プライマーとして次の配列を有するものを例示できる。
2004113094.tif 000004
【００２０】
同様に、ＡｐｏＣ−ＩＩＩ（１１００Ｃ→Ｔ）多型解析用の核酸プライマーとして次の配列を有するものを例示できる。
2004113094.tif 000005
【００２１】
同様に、ＧＰβ３（８２５Ｃ→Ｔ）多型解析用の核酸プライマーとして次の配列を有するものを例示できる。
2004113094.tif 000006
【００２２】
同様に、ＴＮＦα（−８５０Ｃ→Ｔ）多型解析用の核酸プライマーとして次の配列を有するものを例示できる。
2004113094.tif 000007
【００２３】
同様に、ＴＮＦα（−２３８Ｇ→Ａ）多型解析用の核酸プライマーとして次の配列を有するものを例示できる。
2004113094.tif 000008
【００２４】
同様に、ＩＲＳ−１（３４９４Ｇ→Ａ）多型解析用の核酸プライマーとして次の配列を有するものを例示できる。
2004113094.tif 000009
【００２５】
同様に、ＧＰＩｂα（１０１８Ｃ→Ｔ）多型解析用の核酸プライマーとして次の配列を有するものを例示できる。
2004113094.tif 000010
【００２６】
一方、プローブの具体例として以下のものを挙げることができる。
ＡｐｏＣ−ＩＩＩ（１１００Ｃ→Ｔ）多型解析用プローブとして
2004113094.tif 000011
【００２７】
ＴＮＦα（−８５０Ｃ→Ｔ）多型解析用プローブとして
2004113094.tif 000012
【００２８】
ＩＲＳ−１（３４９４Ｇ→Ａ）多型解析用プローブとして
2004113094.tif 000013
【００２９】
以上の核酸プライマー、核酸プローブは単なる一例であって、核酸プライマーであれば目的の増幅反応を支障なく行える限度において、他方核酸プローブであれば目的のハイブリダイゼーション反応を支障なく行える限度において一部の塩基配列に改変が施されたものであってもよい。ここでの「一部の改変」とは、塩基の一部が欠失、置換、挿入及び／又は付加されていることを意味する。改変にかかる塩基数は例えば１〜７個、好ましくは１〜５個、更に好ましくは、１〜３個である。尚、このような改変は、原則として多型部位に対応する塩基以外の部分において行われる。
【００３０】
多型解析用核酸（プローブ、プライマー）には、解析方法に応じて適宜ＤＮＡ断片又はＲＮＡ断片が用いられる。多型解析用核酸の塩基長はそれぞれの機能が発揮される長さであればよく、プライマーとして用いられる場合の塩基長の例としては１０〜５０ｂｐ程度、好ましくは１５〜４０ｂｐ程度、更に好ましくは１５〜３０ｂｐ程度である。
尚、プライマーとして用いられる場合には増幅対象に特異的にハイブリダイズし、目的のＤＮＡフラグメントを増幅することができる限り鋳型となる配列に対して多少のミスマッチがあってもよい。プローブの場合も同様に、検出対象の配列と特異的なハイブリダイズが行える限り、検出対象の配列に対して多少のミスマッチがあってもよい。ミスマッチの程度としては、１〜数個、好ましくは１〜５個、更に好ましくは１〜３個である。
多型解析用核酸（プライマー、プローブ）はホスホジエステル法など公知の方法によって合成することができる。尚、多型解析用核酸の設計、合成等に関しては成書（例えばＭｏｌｅｃｕｌａｒ　Ｃｌｏｎｉｎｇ，Ｔｈｉｒｄ　Ｅｄｉｔｉｏｎ，Ｃｏｌｄ　Ｓｐｒｉｎｇ　Ｈａｒｂｏｒ　Ｌａｂｏｒａｔｏｒｙ　Ｐｒｅｓｓ，　Ｎｅｗ　Ｙｏｒｋ）を参考にすることができる。
【００３１】
本発明における多型解析用核酸を予め標識物質で標識しておくことができる。このような標識化核酸を用いることにより例えば、増幅産物の標識量を指標として多型の解析を行うことができる。また、多型を構成する各遺伝子型の遺伝子における部分ＤＮＡ領域をそれぞれ特異的に増幅するように設計された２種類のプライマーを互いに異なる標識物質で標識しておけば、増幅産物から検出される標識物質及び標識量によって核酸試料の遺伝子型を判別できる。このような標識化プライマーを用いた検出方法の具体例としては、多型を構成する各遺伝子型のセンス鎖にそれぞれ特異的にハイブリダイズする２種類の核酸プライマー（アリル特異的センスプライマー）をフルオレセインイソチオシアネートとテキサスレッドでそれぞれ標識し、これら標識化プライマーとアンチセンス鎖に特異的にハイブリダイズするアンチセンスプライマーとを用いて多型部位を含む部分ＤＮＡ領域を増幅し、得られた増幅産物における各蛍光物質の標識量を測定して多型を検出する方法を挙げることができる。尚、ここでのアンチセンスプライマーを例えばビオチンで標識しておけば、ビオチンとアビジンとの特異的な結合を利用して増幅産物の分離を行うことができる。
【００３２】
多型解析用核酸の標識に用いられる標識物質としては３２Ｐなどの放射性同位元素、フルオレセインイソチオシアネート、テトラメチルローダミンイソチオシアネート、テキサスレッドなどの蛍光物質を例示でき、標識方法としてはアルカリフォスファターゼ及びＴ４ポリヌクレオチドキナーゼを用いた５’末端標識法、Ｔ４　ＤＮＡポリメラーゼやＫｌｅｎｏｗ断片を用いた３’末端標識法、ニックトランスレーション法、ランダムプライマー法（Ｍｏｌｅｃｕｌａｒ　Ｃｌｏｎｉｎｇ，Ｔｈｉｒｄ　Ｅｄｉｔｉｏｎ，Ｃｈａｐｔｅｒ　９，Ｃｏｌｄ　Ｓｐｒｉｎｇ　Ｈａｒｂｏｒ　Ｌａｂｏｒａｔｏｒｙ　Ｐｒｅｓｓ，　Ｎｅｗ　Ｙｏｒｋ）などを例示できる。以上の多型解析用核酸を不溶性支持体に固定化した状態で用いることもできる。固定化に使用する不溶性支持体をチップ状、ビーズ状などに加工しておけば、これら固定化核酸を用いて多型の解析をより簡便に行うことができる。
【００３３】
核酸試料は、被験者の血液、皮膚細胞、粘膜細胞、毛髪等から公知の抽出方法、精製方法を用いて調製することができる。多型解析対象の遺伝子を含むものであれば、任意の長さのゲノムＤＮＡを核酸試料として用いることができる。また、必ずしも解析対象の遺伝子のすべてが一の核酸上に存在する核酸試料を用いる必要はない。即ち、本発明の核酸試料としては、解析対象の遺伝子のすべてが一の核酸上に存在しているもの、解析対象の遺伝子が二以上の核酸上に分かれて存在しているもののいずれをも用いることができる。尚、核酸試料において解析対象の遺伝子が完全な状態（即ち、遺伝子の全長が存在する状態）でなくても、少なくとも解析される多型部位が存在している限りにおいて断片的、部分的な状態であってもよい。
【００３４】
各遺伝子多型の解析は遺伝子多型ごとに、又は複数若しくは全部を同時に行う。前者の場合としては例えば、被験者から得た核酸試料を解析対象の多型の数に合わせて分注し、各多型の解析を個別に行う。後者の場合としては例えば、ＤＮＡチップまたはマイクロアレイによって行うことができる。尚、ここでいう同時とは解析過程のすべての操作が同時に行われることのみを意味するのではなく、一部の操作（例えば核酸増幅操作、プローブのハイブリダイズ、又は検出）が同時に行われる場合も含む。
【００３５】
解析対象の遺伝子の転写産物であるｍＲＮＡを利用して各遺伝子の多型を解析することもできる。例えば被験者の血液、尿等から解析対象である遺伝子のｍＲＮＡを抽出、精製した後、ノーザンブロット法（Ｍｏｌｅｃｕｌａｒ　Ｃｌｏｎｉｎｇ，　Ｔｈｉｒｄ　Ｅｄｉｔｉｏｎ，７．４２，Ｃｏｌｄ　Ｓｐｒｉｎｇ　Ｈａｒｂｏｒ　Ｌａｂｏｒａｔｏｒｙ　Ｐｒｅｓｓ，　Ｎｅｗ　Ｙｏｒｋ）、ドットブロット法（Ｍｏｌｅｃｕｌａｒ　Ｃｌｏｎｉｎｇ，　Ｔｈｉｒｄ　Ｅｄｉｔｉｏｎ，７．４６，Ｃｏｌｄ　Ｓｐｒｉｎｇ　Ｈａｒｂｏｒ　Ｌａｂｏｒａｔｏｒｙ　Ｐｒｅｓｓ，　Ｎｅｗ　Ｙｏｒｋ）、ＲＴ−ＰＣＲ法（Ｍｏｌｅｃｕｌａｒ　Ｃｌｏｎｉｎｇ，　Ｔｈｉｒｄ　Ｅｄｉｔｉｏｎ，８．４６，Ｃｏｌｄ　Ｓｐｒｉｎｇ　Ｈａｒｂｏｒ　Ｌａｂｏｒａｔｏｒｙ　Ｐｒｅｓｓ，　Ｎｅｗ　Ｙｏｒｋ）、ＤＮＡチップ（ＤＮＡアレイ）を用いた方法などを実行することにより、ｍＲＮＡを出発材料として多型解析を行うことができる。
【００３６】
さらに、上記の多型の中でアミノ酸の変化を伴うものについては、解析対象の遺伝子の発現産物を用いて多型解析を行うこともできる。この場合、多型部位に対応するアミノ酸を含んでいる限り、部分タンパク質、部分ペプチドであっても解析用試料として用いることができる。
【００３７】
このような遺伝子の発現産物を用いて解析する方法としては、多型部位のアミノ酸を直接分析する方法、又は立体構造の変化を利用して免疫学的に分析する方法などが挙げられる。前者としては、周知のアミノ酸配列分析法（エドマン法を利用した方法）を用いることができる。後者としては、多型を構成するいずれかの遺伝子型を有する遺伝子の発現産物に特異的な結合活性を有するモノクローナル抗体又はポリクローナル抗体を用いた、ＥＬＩＳＡ法（酵素結合免疫吸着定量法）、ラジオイムノアッセイ、免疫沈降法、免疫拡散法等などを用いることができる。
【００３８】
以上説明した本発明の検出方法を実行することにより得られる多型情報を、高血圧の遺伝的リスクの診断に利用することができる。即ち、本発明は以上の検出方法によって得られる多型情報から核酸試料の遺伝子型を決定する工程、及び決定された核酸試料の遺伝子型から遺伝的リスクを求める工程を含んでなる、高血圧のリスク診断方法も提供する。ここでの遺伝子型の決定は、典型的には、検出対象の多型に関して核酸試料の両アレルがいずれの遺伝子型をそれぞれ有するかを決定することである。ＧＰＩａ（１６４８Ａ→Ｇ）多型が検出対象である場合を例に採れば、典型的には核酸試料におけるＧＰＩａの遺伝子型がＡＡ（１６４８位塩基が両アレル共にＡのホモ接合体）、ＡＧ（１６４８位塩基がＡのアレルとＧのアレルとのヘテロ接合体）、及びＧＧ（１６４８位塩基が両アレル共にＧのホモ接合体）の中のいずれであるかを決定することである。
【００３９】
後述の実施例で得られた結果を考慮すれば、高精度かつ予知確率の高い高血圧の遺伝的リスクの診断を可能とするために、例えばＧＰＩａ（１６４８Ａ→Ｇ）多型であれば核酸試料の遺伝子型がＧＧであるか、それともＡＡ又はＡＧのいずれかであるかが決定される。同様にＣＣＲ２（１９０Ｇ→Ａ）多型であればＡＡであるか、それともＧＧ又はＧＡのいずれかであるか、ＡｐｏＣ−ＩＩＩ（１１００Ｃ→Ｔ）多型であればＴＴであるか、それともＣＣ又はＣＴのいずれかであるか、ＧＰβ３（８２５Ｃ→Ｔ）多型であればＣＴ又はＴＴのいずれかであるか、それともＣＣであるか、ＴＮＦα（−８５０Ｃ→Ｔ）多型であればＴＴであるか、それともＣＣ又はＣＴのいずれかであるか、ＴＮＦα（−２３８Ｇ→Ａ）多型であればＧＡ又はＡＡのいずれかであるか、それともＧＧであるか、ＩＲＳ−１（３４９４Ｇ→Ａ）多型であればＧＡ又はＡＡのいずれかであるか、それともＧＧであるか、ＧＰＩｂα（１０１８Ｃ→Ｔ）多型であればＣＴ又はＴＴのいずれかであるか、それともＣＣであるかが決定される。
【００４０】
高血圧の遺伝的リスクを診断することにより、将来的に高血圧を罹患するおそれの程度（発症し易さ）、即ち発症リスク（発症脆弱性）が予測され、また遺伝子型という客観的指標に基づいて高血圧の認定や病状の把握を行うことが可能となる。換言すれば、本発明の診断方法によって高血圧の発症リスクの評価、高血圧に罹患していることの認定、又は症状の把握を行うことができる。中でも発症リスクの評価を行えることは臨床上極めて有意義である。発症リスクを事前に知ることは高血圧の一次予防に貢献し、適切な予防措置を講じることを可能とするからである。
本発明の診断方法によって得られる情報は、適切な治療法の選択や、予後の改善、患者のＱＯＬ（クオリティー・オブ・ライフ）の向上、又は発症リスクの低減などに利用することができる。
【００４１】
本発明の診断方法を実行することにより、高血圧の発症リスク等をモニターすることができる。このようなモニターの結果、ある外的因子（環境因子、薬剤の投与など）と発症リスク等の増加との間に相関関係が認められれば、当該外的因子を危険因子と認定し、この情報を基に発症リスク等の低減を図ることが可能と考えられる。
【００４２】
本発明で得られる高血圧の発症に関連する遺伝情報は高血圧の治療（予防的処置を含む）に利用され得る。例えば、本発明の診断方法を実施した結果、解析対象の高血圧の発症リスクを高める遺伝子型であった場合に、発症リスクの低い遺伝子型を有する遺伝子を生体内に導入して発現させれば、当該遺伝子が発現することによって症状の軽減、発症の抑制、発症リスクの軽減などを期待できる。発症リスクの高い遺伝子型を有する遺伝子のｍＲＮＡに対するアンチセンス鎖を導入し、当該ｍＲＮＡの発現を抑制する方法によっても、同様の治療効果が期待される。
【００４３】
遺伝子又はアンチセンス鎖の導入は例えば、遺伝子導入用プラスミド又はウイルスベクターを用いた方法、エレクトロポーレーション（Ｐｏｔｔｅｒ，Ｈ．　ｅｔ　ａｌ．，　Ｐｒｏｃ．　Ｎａｔｌ．　Ａｃａｄ．　Ｓｃｉ．　Ｕ．Ｓ．Ａ．　８１，　７１６１−７１６５（１９８４））、超音波マイクロバブル（Ｌａｗｒｉｅ，　Ａ．，　ｅｔ　ａｌ．　Ｇｅｎｅ　Ｔｈｅｒａｐｙ　７，　２０２３−２０２７　（２０００））、リポフェクション（Ｆｅｌｇｎｅｒ，　Ｐ．Ｌ．　ｅｔ　ａｌ．，　　Ｐｒｏｃ．　Ｎａｔｌ．　Ａｃａｄ．　Ｓｃｉ．　Ｕ．Ｓ．Ａ．　８４，７４１３−７４１７（１９８４））、マイクロインジェクション（Ｇｒａｅｓｓｍａｎｎ，Ｍ．　＆　Ｇｒａｅｓｓｍａｎｎ，Ａ．，　Ｐｒｏｃ．　Ｎａｔｌ．　Ａｃａｄ．　Ｓｃｉ．　Ｕ．Ｓ．Ａ．　７３，３６６−３７０（１９７６））等の方法により行うことができる。これらの方法を利用して所望の遺伝子などを生体に対して直接的に導入（ｉｎ　ｖｉｖｏ法）又は間接的に導入（ｅｘ　ｖｉｖｏ法）することができる。
【００４４】
本発明の第２の局面は、上述した本発明の検出方法又は診断方法に使用されるキット（遺伝子型検出用キット、又は高血圧診断用キット）を提供する。かかるキットには上記の（１）〜（４）の多型からなるグループより選択される二つ以上の多型を解析するための核酸（多型解析用核酸）が含まれる。他の態様としては上記の（５）〜（８）の多型からなるグループより選択される二つ以上の多型を解析するための核酸（多型解析用核酸）を含んでキットが構築される。
多型解析用核酸は、それが適用される解析方法（上述したアリル特異的核酸等を用いたＰＣＲ法を利用する方法、ＰＣＲ−ＲＦＬＰ法、ＰＣＲ−ＳＳＣＰ、ＴａｑＭａｎ−ＰＣＲ法、Ｉｎｖａｄｅｒ法等）において、解析対象の多型部分を含むＤＮＡ領域又はそれに対応するｍＲＮＡを特異的に増幅できるもの（プライマー）又は特異的に検出できるもの（プローブ）として設計される。以下に本発明において提供されるキットの具体例を示す。
【００４５】
以下の（１）〜（４）からなるグループより選択される二つ以上の核酸を含んでなる遺伝子型検出用キット、
（１）１６４８位塩基がＡであるグリコプロテインＩａ遺伝子の１６４８位塩基を含む部分ＤＮＡ領域に相補的な配列を有する核酸、又は１６４８位位塩基がＧであるグリコプロテインＩａ遺伝子の１６４８位塩基を含む部分ＤＮＡ領域に相補的な配列を有する核酸、
（２）１９０位塩基がＧであるケモカイン受容体２遺伝子の１９０位塩基を含む部分ＤＮＡ領域に相補的な配列を有する核酸、又は１９０位がＡであるケモカイン受容体２遺伝子の１９０位塩基を含む部分ＤＮＡ領域に相補的な配列を有する核酸、
（３）１１００位がＣであるアポリポプロテインＣ−ＩＩＩ遺伝子の１１００位塩基を含む部分ＤＮＡ領域に相補的な配列を有する核酸、又は１１００位塩基がＴであるアポリポプロテインＣ−ＩＩＩ遺伝子遺伝子の１１００位塩基を含む部分ＤＮＡ領域に相補的な配列を有する核酸、及び
（４）８２５位塩基がＣであるＧ−タンパク質β３サブユニット遺伝子の８２５位塩基を含む部分ＤＮＡ領域に相補的な配列を有する核酸、又は８２５位塩基がＴであるＧ−タンパク質β３サブユニット遺伝子の−４８２位塩基を含む部分ＤＮＡ領域に相補的な配列を有する核酸。
以上では、（１）〜（４）からなるグループから二つ以上の核酸を選択してキットを構成しているが、（１）〜（４）の中から二つ以上を任意に選択してグループとし、かかるグループから二つ以上の核酸を選択してキットを構成してもよい。例えば（２）〜（４）からなるグループ（後述の実施例においてオッズ比が上位３位までの多型を解析するための核酸）より二つ以上の核酸を選択してキットを構成することができる。
【００４６】
以下の（５）〜（８）からなるグループより選択される二つ以上の核酸を含んでなる遺伝子型検出用キット、
（５）−８５０位塩基がＣである腫瘍壊死因子α遺伝子の−８５０位塩基を含む部分ＤＮＡ領域に相補的な配列を有する核酸、又は−８５０位塩基がＴである腫瘍壊死因子α遺伝子の−８５０位塩基を含む部分ＤＮＡ領域に相補的な配列を有する核酸、
（６）−２３８位塩基がＧである腫瘍壊死因子α遺伝子の−２３８位塩基を含む部分ＤＮＡ領域に相補的な配列を有する核酸、又は−２３８位塩基がＡである腫瘍壊死因子α遺伝子の−２３８位塩基を含む部分ＤＮＡ領域に相補的な配列を有する核酸、
（７）３４９４位塩基がＧであるインスリン受容体サブストレート１遺伝子の３４９４位塩基を含む部分ＤＮＡ領域に相補的な配列を有する核酸、又は３４９４位塩基がＡであるインスリン受容体サブストレート１遺伝子の３４９４位塩基を含む部分ＤＮＡ領域に相補的な配列を有する核酸、及び
（８）１０１８位塩基がＣであるグリコプロテインＩｂα遺伝子の１０１８位塩基を含む部分ＤＮＡ領域に相補的な配列を有する核酸、又は１０１８位塩基がＴであるグリコプロテインＩｂα遺伝子の１０１８位塩基を含む部分ＤＮＡ領域に相補的な配列を有する核酸。
以上では、（５）〜（８）からなるグループから二つ以上の核酸を選択してキットを構成しているが、（５）〜（８）の中から二つ以上を任意に選択してグループとし、かかるグループから二つ以上の核酸を選択してキットを構成してもよい。例えば（５）、（７）、及び（８）からなるグループ（後述の実施例においてオッズ比が上位３位までの多型を解析するための核酸）より二つ以上の核酸を選択してキットを構成することができる。
【００４７】
以下の（１）〜（４）からなるグループより選択される二つ以上の核酸セットを含んでなる遺伝子型検出用キット、
（１）核酸試料中のグリコプロテインＩａ遺伝子の１６４８位塩基がＡである場合にのみ、該グリコプロテインＩａ遺伝子の１６４８位塩基を含む部分ＤＮＡ領域を特異的に増幅するように設計された核酸セット、又は核酸試料中のグリコプロテインＩａ遺伝子の１６４８位塩基がＧである場合にのみ、該グリコプロテインＩａ遺伝子の１６４８位位塩基を含む部分ＤＮＡ領域を特異的に増幅するように設計された核酸セット、
（２）核酸試料中のケモカイン受容体２遺伝子の１９０位塩基がＧである場合にのみ、該ケモカイン受容体２遺伝子の１９０位塩基を含む部分ＤＮＡ領域を特異的に増幅するように設計された核酸セット、又は核酸試料中のケモカイン受容体２遺伝子の１９０位塩基がＡである場合にのみ、該ケモカイン受容体２遺伝子の１９０位塩基を含む部分ＤＮＡ領域を特異的に増幅するように設計された核酸セット、
（３）核酸試料中のアポリポプロテインＣ−ＩＩＩ遺伝子の１１００位塩基がＣである場合にのみ、該アポリポプロテインＣ−ＩＩＩ遺伝子の１１００位塩基を含む部分ＤＮＡ領域を特異的に増幅するように設計された核酸セット、又は核酸試料中のアポリポプロテインＣ−ＩＩＩ遺伝子の１１００位塩基がＴである場合にのみ、アポリポプロテインＣ−ＩＩＩ遺伝子の１１００位塩基を含む部分ＤＮＡ領域を特異的に増幅するように設計された核酸セット、及び
（４）核酸試料中のＧ−タンパク質β３サブユニット遺伝子の８２５位塩基がＣである場合にのみ、該Ｇ−タンパク質β３サブユニット遺伝子の８２５位塩基を含む部分ＤＮＡ領域を特異的に増幅するように設計された核酸セット、又は核酸試料中のＧ−タンパク質β３サブユニット遺伝子の８２５位塩基がＴである場合にのみ、該Ｇ−タンパク質β３サブユニット遺伝子の８２５位塩基を含む部分ＤＮＡ領域を特異的に増幅するように設計された核酸セット。
以上では、（１）〜（４）からなるグループから二つ以上の核酸を選択してキットを構成しているが、（１）〜（４）の中から二つ以上を任意に選択してグループとし、かかるグループから二つ以上の核酸を選択してキットを構成してもよい。例えば（２）〜（４）からなるグループ（後述の実施例においてオッズ比が上位３位までの多型を解析するための核酸）より二つ以上の核酸を選択してキットを構成することができる。
【００４８】
以下の（５）〜（８）からなるグループより選択される二つ以上の核酸セットを含んでなる遺伝子型検出用キット、
（５）核酸試料中の腫瘍壊死因子α遺伝子の−８５０位塩基がＣである場合にのみ、該腫瘍壊死因子α遺伝子の−８５０位塩基を含む部分ＤＮＡ領域を特異的に増幅するように設計された核酸セット、又は核酸試料中の腫瘍壊死因子α遺伝子の−８５０位塩基がＴである場合にのみ、該腫瘍壊死因子α遺伝子の−８５０位塩基を含む部分ＤＮＡ領域を特異的に増幅するように設計された核酸セット、
（６）核酸試料中の腫瘍壊死因子α遺伝子の−２３８位塩基がＧである場合にのみ、該腫瘍壊死因子α遺伝子の−２３８位塩基を含む部分ＤＮＡ領域を特異的に増幅するように設計された核酸セット、又は核酸試料中の腫瘍壊死因子α遺伝子の−２３８位塩基がＡである場合にのみ、該腫瘍壊死因子α遺伝子の−２３８位塩基を含む部分ＤＮＡ領域を特異的に増幅するように設計された核酸セット、
（７）核酸試料中のインスリン受容体サブストレート１遺伝子の３４９４位塩基がＧである場合にのみ、該インスリン受容体サブストレート１遺伝子の３４９４位塩基を含む部分ＤＮＡ領域を特異的に増幅するように設計された核酸セット、又は核酸試料中のインスリン受容体サブストレート１遺伝子の３４９４位塩基がＡである場合にのみ、該インスリン受容体サブストレート１遺伝子の３４９４位塩基を含む部分ＤＮＡ領域を特異的に増幅するように設計された核酸セット、及び
（８）核酸試料中のグリコプロテインＩｂα遺伝子の１０１８位塩基がＣである場合にのみ、該グリコプロテインＩｂα遺伝子の１０１８位塩基を含む部分ＤＮＡ領域を特異的に増幅するように設計された核酸セット、又は核酸試料中のグリコプロテインＩｂα遺伝子の１０１８位塩基がＴである場合にのみ、該グリコプロテインＩｂα遺伝子の１０１８位塩基を含む部分ＤＮＡ領域を特異的に増幅するように設計された核酸セット。以上では、（５）〜（８）からなるグループから二つ以上の核酸を選択してキットを構成しているが、（５）〜（８）の中から二つ以上を任意に選択してグループとし、かかるグループから二つ以上の核酸を選択してキットを構成してもよい。例えば（５）、（７）、及び（８）からなるグループ（後述の実施例においてオッズ比が上位３位までの多型を解析するための核酸）より二つ以上の核酸を選択してキットを構成することができる。
【００４９】
以下の（１）〜（４）からなるグループより選択される二つ以上の核酸セットを含んでなる遺伝子型検出用キット、
（１）グリコプロテインＩａ遺伝子の１６４８位塩基を含む部分ＤＮＡ領域を特異的に増幅するように設計された核酸セットであって、１６４８位塩基がＡであるグリコプロテインＩａ遺伝子の１６４８位塩基を含む部分ＤＮＡ領域、に対して特異的にハイブリダイズするセンスプライマー及び／又は１６４８位塩基がＧであるグリコプロテインＩａ遺伝子において１６４８位塩基を含む部分ＤＮＡ領域、に対して特異的にハイブリダイズするセンスプライマーと、グリコプロテインＩａ遺伝子の一部領域に対して特異的にハイブリダイズするアンチセンスプライマーと、からなる核酸セット、
（２）ケモカイン受容体２遺伝子の１９０位塩基を含む部分ＤＮＡ領域を特異的に増幅するように設計された核酸セットであって、１９０位塩基がＧであるケモカイン受容体２遺伝子において１９０位塩基を含む部分ＤＮＡ領域、に対して特異的にハイブリダイズするアンチセンスプライマー及び／又は１９０位塩基がＡであるケモカイン受容体２遺伝子において１９０位塩基を含む部分ＤＮＡ領域、に対して特異的にハイブリダイズするアンチセンスプライマーと、ケモカイン受容体２遺伝子の一部領域に対して特異的にハイブリダイズするセンスプライマーと、からなる核酸セット、
（３）アポリポプロテインＣ−ＩＩＩ遺伝子の１１００位塩基を含む部分ＤＮＡ領域を特異的に増幅するように設計された核酸セット、及び
（４）Ｇ−タンパク質β３サブユニット遺伝子の８２５位塩基を含む部分ＤＮＡ領域を特異的に増幅するように設計された核酸セットであって、８２５位塩基がＣであるＧ−タンパク質β３サブユニット遺伝子において８２５位塩基を含む部分ＤＮＡ領域、に対して特異的にハイブリダイズするセンスプライマー及び／又は８２５位塩基がＴであるＧ−タンパク質β３サブユニット遺伝子において８２５位塩基を含む部分ＤＮＡ領域、に対して特異的にハイブリダイズするセンスプライマーと、Ｇ−タンパク質β３サブユニット遺伝子の一部領域に対して特異的にハイブリダイズするアンチセンスプライマーと、からなる核酸セット。
以上では、（１）〜（４）からなるグループから二つ以上の核酸を選択してキットを構成しているが、（１）〜（４）の中から二つ以上を任意に選択してグループとし、かかるグループから二つ以上の核酸を選択してキットを構成してもよい。例えば（２）〜（４）からなるグループ（後述の実施例においてオッズ比が上位３位までの多型を解析するための核酸）より二つ以上の核酸を選択してキットを構成することができる。
【００５０】
以下の（５）〜（８）からなるグループより選択される二つ以上の核酸セットを含んでなる遺伝子型検出用キット、
（５）腫瘍壊死因子α遺伝子の−８５０位塩基を含む部分ＤＮＡ領域を特異的に増幅するように設計された核酸セットであって、−８５０位塩基がＣである腫瘍壊死因子α遺伝子において−８５０位塩基を含む部分ＤＮＡ領域、に対して特異的にハイブリダイズするアンチセンスプライマー及び／又は−８５０位塩基がＴである腫瘍壊死因子α遺伝子において−８５０位塩基を含む部分ＤＮＡ領域、に対して特異的にハイブリダイズするアンチセンスプライマーと、腫瘍壊死因子α遺伝子の一部領域に対して特異的にハイブリダイズするセンスプライマーと、からなる核酸セット、
（６）腫瘍壊死因子α遺伝子の−２３８位塩基を含む部分ＤＮＡ領域を特異的に増幅するように設計された核酸セットであって、−２３８位塩基がＧである腫瘍壊死因子α遺伝子において−２３８位塩基を含む部分ＤＮＡ領域、に対して特異的にハイブリダイズするアンチセンスプライマー及び／又は−２３８位塩基がＡである腫瘍壊死因子α遺伝子において−２３８位塩基を含む部分ＤＮＡ領域、に対して特異的にハイブリダイズするアンチセンスプライマーと、腫瘍壊死因子α遺伝子の一部領域に対して特異的にハイブリダイズするセンスプライマーと、からなる核酸セット、
（７）インスリン受容体サブストレート１遺伝子の３４９４位塩基を含む部分ＤＮＡ領域を特異的に増幅するように設計された核酸セットであって、３４９４位塩基がＧであるインスリン受容体サブストレート１遺伝子において３４９４位塩基を含む部分ＤＮＡ領域、に対して特異的にハイブリダイズするセンスプライマー及び／又は３４９４位塩基がＡであるインスリン受容体サブストレート１遺伝子において３４９４位塩基を含む部分ＤＮＡ領域、に対して特異的にハイブリダイズするセンスプライマーと、インスリン受容体サブストレート１遺伝子の一部領域に対して特異的にハイブリダイズするアンチセンスプライマーと、からなる核酸セット、及び
（８）グリコプロテインＩｂα遺伝子の１０１８位塩基を含む部分ＤＮＡ領域を特異的に増幅するように設計された核酸セットであって、１０１８位塩基がＣであるグリコプロテインＩｂα遺伝子において１０１８位塩基を含む部分ＤＮＡ領域、に対して特異的にハイブリダイズするセンスプライマー及び／又は１０１８位塩基がＴであるグリコプロテインＩｂα遺伝子において１０１８位塩基を含む部分ＤＮＡ領域、に対して特異的にハイブリダイズするセンスプライマーと、グリコプロテインＩｂα遺伝子の一部領域に対して特異的にハイブリダイズするアンチセンスプライマーと、からなる核酸セット。
以上では、（５）〜（８）からなるグループから二つ以上の核酸を選択してキットを構成しているが、（５）〜（８）の中から二つ以上を任意に選択してグループとし、かかるグループから二つ以上の核酸を選択してキットを構成してもよい。例えば（５）、（７）、及び（８）からなるグループ（後述の実施例においてオッズ比が上位３位までの多型を解析するための核酸）より二つ以上の核酸を選択してキットを構成することができる。
【００５１】
以下の（１）〜（４）からなるグループより選択される二つ以上の核酸セットを含んでなる遺伝子型検出用キット、
（１）１６４８位塩基がＡであるグリコプロテインＩａ遺伝子のアンチセンス鎖において１６４８位塩基に対応する塩基を含む部分領域、に対して特異的にハイブリダイズし且つ第１の標識物質で標識された第１核酸と、１６４８位塩基がＧであるグリコプロテインＩａ遺伝子のアンチセンス鎖において１６４８位塩基に対応する塩基を含む部分領域、に対して特異的にハイブリダイズし且つ第２の標識物質で標識された第２核酸と、及びグリコプロテインＩａ遺伝子のセンス鎖の一部領域に対して特異的にハイブリダイズし且つ前記第１核酸又は前記第２核酸とともに使用されてグリコプロテインＩａ遺伝子の１６４８位塩基を含む部分ＤＮＡ領域を特異的に増幅することが可能な第３核酸と、からなる核酸セット、
（２）１９０位塩基がＧであるケモカイン受容体２遺伝子のセンス鎖において１９０位塩基を含む部分領域、に対して特異的にハイブリダイズし且つ第１の標識物質で標識された第１核酸と、１９０位塩基がＡであるケモカイン受容体２遺伝子のセンス鎖において１９０位塩基を含む部分領域、に対して特異的にハイブリダイズし且つ第２の標識物質で標識された第２核酸と、及びケモカイン受容体２遺伝子のアンチセンス鎖の一部領域に対して特異的にハイブリダイズし且つ前記第１核酸又は前記第２核酸とともに使用されてケモカイン受容体２遺伝子の１９０位塩基を含む部分ＤＮＡ領域を特異的に増幅することが可能な第３核酸と、からなる核酸セット、
（３）アポリポプロテインＣ−ＩＩＩ遺伝子の１１００位塩基を含む部分ＤＮＡ領域を特異的に増幅するように設計された第１核酸及び第２核酸と、１１００位がＣであるアポリポプロテインＣ−ＩＩＩ遺伝子を鋳型として前記第１核酸及び前記第２核酸を用いて増幅される核酸に対して特異的にハイブリダイズし且つ第１の標識物質で標識された第３核酸と、及び１１００位がＴであるアポリポプロテインＣ−ＩＩＩ遺伝子を鋳型として前記第１核酸及び前記第２核酸を用いて増幅される核酸に対して特異的にハイブリダイズし且つ第２の標識物質で標識された第４核酸と、からなる核酸セット、
（４）８２５位塩基がＣであるＧ−タンパク質β３サブユニット遺伝子のアンチセンス鎖において８２５位塩基を含む部分領域、に対して特異的にハイブリダイズし且つ第１の標識物質で標識された第１核酸と、８２５位塩基がＴであるＧ−タンパク質β３サブユニット遺伝子のアンチセンス鎖において８２５位塩基を含む部分領域、に対して特異的にハイブリダイズし且つ第２の標識物質で標識された第２核酸と、及びＧ−タンパク質β３サブユニット遺伝子のセンス鎖の一部領域に対して特異的にハイブリダイズし且つ前記第１核酸又は前記第２核酸とともに使用されてＧ−タンパク質β３サブユニット遺伝子の８２５位塩基を含む部分ＤＮＡ領域を特異的に増幅することが可能な第３核酸と、からなる核酸セット。
以上では、（１）〜（４）からなるグループから二つ以上の核酸を選択してキットを構成しているが、（１）〜（４）の中から二つ以上を任意に選択してグループとし、かかるグループから二つ以上の核酸を選択してキットを構成してもよい。例えば（２）〜（４）からなるグループ（後述の実施例においてオッズ比が上位３位までの多型を解析するための核酸）より二つ以上の核酸を選択してキットを構成することができる。
【００５２】
以下の（５）〜（８）からなるグループより選択される二つ以上の核酸セットを含んでなる遺伝子型検出用キット、
（５）−８５０位塩基がＣである腫瘍壊死因子α遺伝子のセンス鎖において−８５０位塩基を含む部分領域、に対して特異的にハイブリダイズし且つ第１の標識物質で標識された第１核酸と、−８５０位塩基がＴである腫瘍壊死因子α遺伝子のセンス鎖において−８５０位塩基を含む部分領域、に対して特異的にハイブリダイズし且つ第２の標識物質で標識された第２核酸と、及び腫瘍壊死因子α遺伝子のアンチセンス鎖の一部領域に対して特異的にハイブリダイズし且つ前記第１核酸又は前記第２核酸とともに使用されて腫瘍壊死因子α遺伝子の−８５０位塩基を含む部分ＤＮＡ領域を特異的に増幅することが可能な第３核酸と、からなる核酸セット、
（６）−２３８位塩基がＧである腫瘍壊死因子α遺伝子のセンス鎖において−２３８位塩基を含む部分領域、に対して特異的にハイブリダイズし且つ第１の標識物質で標識された第１核酸と、−２３８位塩基がＡである腫瘍壊死因子α遺伝子のセンス鎖において−２３８位塩基を含む部分領域、に対して特異的にハイブリダイズし且つ第２の標識物質で標識された第２核酸と、及び腫瘍壊死因子α遺伝子のアンチセンス鎖の一部領域に対して特異的にハイブリダイズし且つ前記第１核酸又は前記第２核酸とともに使用されて腫瘍壊死因子α遺伝子の−２３８位塩基を含む部分ＤＮＡ領域を特異的に増幅することが可能な第３核酸と、からなる核酸セット、
（７）３４９４位塩基がＧであるインスリン受容体サブストレート１遺伝子のアンチセンス鎖において３４９４位塩基を含む部分領域、に対して特異的にハイブリダイズし且つ第１の標識物質で標識された第１核酸と、３４９４位塩基がＡであるインスリン受容体サブストレート１遺伝子のアンチセンス鎖において３４９４位塩基を含む部分領域、に対して特異的にハイブリダイズし且つ第２の標識物質で標識された第２核酸と、及びインスリン受容体サブストレート１遺伝子のセンス鎖の一部領域に対して特異的にハイブリダイズし且つ前記第１核酸又は前記第２核酸とともに使用されてインスリン受容体サブストレート１遺伝子の３４９４位塩基を含む部分ＤＮＡ領域を特異的に増幅することが可能な第３核酸と、からなる核酸セット、及び
（８）１０１８位塩基がＣであるグリコプロテインＩｂα遺伝子のアンチセンス鎖において１０１８位塩基を含む部分領域、に対して特異的にハイブリダイズし且つ第１の標識物質で標識された第１核酸と、１０１８位塩基がＴであるグリコプロテインＩｂα遺伝子のアンチセンス鎖において１０１８位塩基を含む部分領域、に対して特異的にハイブリダイズし且つ第２の標識物質で標識された第２核酸と、及びグリコプロテインＩｂα遺伝子のセンス鎖の一部領域に対して特異的にハイブリダイズし且つ前記第１核酸又は前記第２核酸とともに使用されてグリコプロテインＩｂα遺伝子の１０１８位塩基を含む部分ＤＮＡ領域を特異的に増幅することが可能な第３核酸と、からなる核酸セット。
以上では、（５）〜（８）からなるグループから二つ以上の核酸を選択してキットを構成しているが、（５）〜（８）の中から二つ以上を任意に選択してグループとし、かかるグループから二つ以上の核酸を選択してキットを構成してもよい。例えば（５）、（７）、及び（８）からなるグループ（後述の実施例においてオッズ比が上位３位までの多型を解析するための核酸）より二つ以上の核酸を選択してキットを構成することができる。
【００５３】
以上の各キットにおいては、キットの使用方法に応じた一又は二以上の試薬（バッファー、反応用試薬、検出用試薬など）などを組み合わせてもよい。
以下、実施例を用いて本発明をより詳細に説明する。
【００５４】
【実施例】
＜実施例１＞　遺伝子多型の選択
ＰｕｂＭｅｄ［Ｎａｔｉｏｎａｌ　Ｃｅｎｔｅｒ　ｆｏｒ　Ｂｉｏｌｏｇｉｃａｌ　Ｉｎｆｏｒｍａｔｉｏｎ　（ＮＣＢＩ）］，　Ｏｎｌｉｎｅ　Ｍｅｎｄｅｌｉａｎ　ｉｎｈｅｒｉｔａｎｃｅ　ｉｎ　Ｍｅｎ　（ＮＣＢＩ），　Ｓｉｎｇｌｅ　Ｎｕｃｌｅｏｔｉｄｅ　Ｐｏｌｙｍｏｒｐｈｉｓｍ　（ＮＣＢＩ）などの数種類の公的データベースを用いて、今までに報告された遺伝子の中から血管生物学、血小板・白血球生物学、凝固線溶系、脂質・糖・その他の代謝因子などの総合的側面から冠動脈硬化、冠動脈攣縮、高血圧、糖尿病、高脂血症などとの関連が推定される７１遺伝子を抜粋した。さらにこれらの遺伝子に存在する多型の中でプロモーター領域やエクソンに存在するもの、あるいはスプライスドナー部位やアクセプター部位に位置し、遺伝子産物の機能変化との関連が予想されるものを中心に１１２多型を選択した（図１及び図２）。
【００５５】
＜実施例２＞　遺伝子多型の決定
対象は１９９４年７月から２００１年１２月の間に参加１５施設を受診（または入院）した日本人１９４０例（男性１１０７例、女性８３３例）である。高血圧例は１０６７例（男性５７４例、女性４９３例）で、収縮期血圧≧１４０　ｍｍＨｇ　または拡張期血圧≧９０　ｍｍＨｇ、あるいはその両方、であるか降圧薬を服用している症例である。冠動脈疾患、心臓弁疾患、先天性心血管疾患、または腎疾患・内分泌疾患など二次性高血圧を来す疾患を有する症例は除外した。対照は正常血圧（収縮期血圧＜１４０　ｍｍＨｇ、拡張期血圧＜９０　ｍｍＨｇ）の８７３例（男性５３３例、女性３４０例）で、従来の冠動脈疾患危険因子、即ち喫煙（１日１０本以上）、肥満（ｂｏｄｙ　ｍａｓｓ　ｉｎｄｅｘ　＞　２６　ｋｇ／ｍ２）、糖尿病（空腹時血糖　＞　１２６　ｍｇ／ｄＬまたはヘモグロビンＡ１ｃ　＞　６．５％、あるいはその両方）、高脂血症（血清総コレステロール　＞　２２０　ｍｇ／ｄＬ）、高尿酸血症（男性では血清尿酸　＞７．７　ｍｇ／ｄＬ、女性では血清尿酸　＞　５．５　ｍｇ／ｄＬ）の少なくとも一つを有するが冠動脈疾患を有しない症例である。これらの対照は安静時心電図が正常であり、運動負荷試験でも心筋の虚血性変化は認められなかった。血圧はアメリカ心臓協会のガイドラインに従い、座位で測定した（Ｐｅｒｌｏｆｆ　Ｄ，　Ｇｒｉｍ　Ｃ，　Ｆｌａｃｋ　Ｊ，　ＦｒｏｈｌｉｃｈＥＤ，　Ｈｉｌｌ　Ｍ，　ＭｃＤｏｎａｌｄ　Ｍ，　Ｍｏｒｇｅｎｓｔｅｒｎ　ＢＺ．　Ｈｕｍａｎ　ｂｌｏｏｄ　ｐｒｅｓｓｕｒｅ　ｄｅｔｅｒｍｉｎａｔｉｏｎ　ｂｙ　ｓｐｈｙｇｍｏｍａｎｏｍｅｔｒｙ．　Ｃｉｒｃｕｌａｔｉｏｎ．　１９９３；８８：２６４０−２４７０．）。
【００５６】
それぞれの対象から静脈血７　ｍＬを５０　ｍｍｏｌ／Ｌ　ＥＤＴＡ−２Ｎａを含むチューブに採血し、ゲノムＤＮＡをＤＮＡ抽出キット（Ｑｉａｇｅｎ，　Ｃｈａｔｓｗｏｒｔｈ，　ＣＡ）を用いて抽出した。一塩基多型の遺伝子型の決定は蛍光・発光法によるアリル特異的プライマー・プローブ測定システム（東洋紡ジーンアナリシス、敦賀、日本）により行った（図３）。多型部位を含むＤＮＡ断片は５’末端にｆｌｕｏｒｅｓｃｅｉｎ　ｉｓｏｔｈｉｏｃｙａｎａｔｅ　（ＦＩＴＣ）またはＴｅｘａｓ　ｒｅｄ　（ＴｘＲ）で標識した２種類のアリル特異的センス（またはアンチセンス）プライマーと５’末端をビオチンで標識したアンチセンス（またはセンス）プライマーを用いてｐｏｌｙｍｅｒａｓｅ　ｃｈａｉｎ　ｒｅａｃｔｉｏｎ　（ＰＣＲ）　により増幅した。また別法として、多型部位を含むＤＮＡ断片は２種類のアリル特異的センス（またはアンチセンス）プライマーと５’末端をビオチンで標識したアンチセンス（またはセンス）プライマーを用いて、またはセンスプライマーと５’末端をビオチンで標識したアンチセンスプライマーを用いてＰＣＲにより増幅した。反応溶液　（２５　μＬ）　には２０　ｎｇのＤＮＡ、５　ｐｍｏｌの各プライマー、０．２　ｍｍｏｌ／Ｌの各デオキシヌクレオシド三リン酸、１−４　ｍｍｏｌ／Ｌの塩化マグネシウム、　１　ＵのＤＮＡポリメラーゼ（ｒＴａｑ　ｏｒ　ＫＯＤｐｌｕｓ；　東洋紡、大阪、日本）を含み、それぞれのＤＮＡポリメラーゼ緩衝液を用いた。増幅プロトコールは初期変性が９５℃で５分、３５−４５サイクルで変性が９５℃で３０秒、　アニーリングが５５−６７．５℃で３０秒、伸展が７２℃で３０秒、そして最終伸展が７２℃で２分とした。
【００５７】
蛍光法による遺伝子型の決定では、増幅したＤＮＡを９６穴プレートの各ウェルでストレプトアビジン結合磁気ビーズを含む溶液中で室温インキュベートした。このプレートを磁気スタンド上に置き、各ウェルから上清を採取し、０．０１　Ｍ　ＮａＯＨを含む９６穴プレートの各ウェルに移した後、マイクロプレートリーダーによりＦＩＴＣは励起・蛍光波長が４８５と５３８　ｎｍ、ＴｘＲは励起・蛍光波長が５８４と６１２　ｎｍで蛍光を測定した。また発光法による遺伝子型の決定では、増幅したＤＮＡを０．３　Ｍ　ＮａＯＨ　で変性させ、９６穴プレートの各ウェルの底面に固定したいずれかのアリル特異的補足プローブと３５−４０％　ホルムアミドを含むハイブリダイゼーション緩衝液で３７℃、３０分間ハイブリダイゼーションを行った。ウェルを十分に洗浄した後、アルカリフォスファターゼ結合ストレプトアビジンを各ウェルに加え、プレートを３７℃、１５分間振騰した。ウェルを再度洗浄し、０．８　ｍＭ　２−（４−ｉｏｄｏｐｈｅｎｙｌ）−３−（４−ｎｉｔｒｏｐｈｅｎｙｌ）−５−（２，４−ｄｉｓｕｌｆｏｐｈｅｎｙｌ）−２Ｈ−ｔｅｔｒａｚｏｌｉｕｍ　（ｍｏｎｏｓｏｄｉｕｍ　ｓａｌｔ）と０．４　ｍＭ５−ｂｒｏｍｏ−４−ｃｈｌｏｒｏ−３−ｉｎｄｏｌｙｌ　ｐｈｏｓｐｈａｔｅ　ｐ−ｔｏｌｕｉｄｉｎｅ　ｓａｌｔを含む溶液を加えた後、４５０　ｎｍでの吸光度を測定した。
【００５８】
本方法による遺伝子型決定の精度を確認するために、５０人のＤＮＡサンプルを無作為に選びＰＣＲ−制限酵素断片長多型法またはＰＣＲ産物の直接塩基配列決定法を行った。いずれのサンプルにおいてもアリル特異的プライマー・プローブ測定システムにより決定された遺伝子型はＰＣＲ−制限酵素断片長多型法またはＤＮＡ塩基配列決定法によって決定されたものと同一であった。
【００５９】
以下の関連解析における統計解析は次のように行った。臨床データは高血圧例と対照との間でｕｎｐａｉｒｅｄ　Ｓｔｕｄｅｎｔ’ｓ　ｔ　ｔｅｓｔ　または　Ｍａｎｎ−Ｗｈｉｔｎｅｙ　Ｕ　ｔｅｓｔを用いて比較した。定性的データはｃｈｉ−ｓｑｕａｒｅ　ｔｅｓｔで検定した。アリル頻度はｇｅｎｅ　ｃｏｕｎｔｉｎｇ　ｍｅｔｈｏｄにより推定し、Ｈａｒｄｙ−Ｗｅｉｎｂｅｒｇ平衡から逸脱しているかどうかはｃｈｉ−ｓｑｕａｒｅ　ｔｅｓｔによって検定した。本発明者らは危険因子を補正した多項ロジスティック回帰分析を行った。高血圧を従属因子とし、年齢、ｂｏｄｙ　ｍａｓｓ　ｉｎｄｅｘ　（ＢＭＩ）、喫煙状況　（０　＝　非喫煙，　１　＝　喫煙）、代謝因子（０　＝糖尿病・高コレステロール血症・高尿酸血症の経歴なし、１　＝　経歴あり）、各多型の遺伝子型を独立因子とした。それぞれの遺伝子型はｄｏｍｉｎａｎｔ（優性）、ｒｅｃｅｓｓｉｖｅ（劣性）、ａｄｄｉｔｉｖｅ（付加）遺伝モデルで解析し、Ｐ値、オッズ比、９５％信頼区間を算出した。組み合わせ遺伝子型解析では、ロジスティック回帰分析のｓｔｅｐｗｉｓｅ　ｆｏｒｗａｒｄ　ｓｅｌｅｃｔｉｏｎ　ｍｅｔｈｏｄ　によりそれぞれの遺伝子型についてのオッズ比を算出した。
【００６０】
＜実施例３＞　高血圧に関連する多型の選択、及び高血圧リスク診断法の開発
本発明者らは先の報告において７１候補遺伝子１１２多型と心筋梗塞との関連解析を男性４５１例（心筋梗塞２１９例、対照２３２例）と女性４５８例（心筋梗塞２２６例、対照２３２例）について行った（Ｙａｍａｄａ　Ｙ，　Ｉｚａｗａ　Ｈ，　Ｉｃｈｉｈａｒａ　Ｓ，　ｅｔ　ａｌ．　Ｐｒｅｄｉｃｔｉｏｎ　ｏｆ　ｒｉｓｋ　ｏｆ　ｍｙｏｃａｒｄｉａｌ　ｉｎｆａｒｃｔｉｏｎ　ｆｒｏｍ　ｐｏｌｙｍｏｒｐｈｉｓｍｓ　ｉｎ　ｃａｎｄａｔｅ　ｇｅｎｅｓ．　Ｎ　Ｅｎｇｌ　Ｊ　Ｍｅｄ．　ｉｎ　ｐｒｅｓｓ．）。この研究により男性で１９個、女性で１８個の一塩基多型が心筋梗塞発症と関連することを見出したが、それらの多型群の中には高血圧の候補遺伝子も含まれていた（図１、図２、図４を参照）。本実施例ではこれらの一塩基多型と高血圧との関連について１９４０例の大規模関連解析を行った。
【００６１】
検討した全対象１９４０例（男性１１０７例、女性８３３例）の背景データを図５に示す。男性では、年齢、ＢＭＩ、高尿酸血症の頻度、血清クレアチニン濃度および収縮期・拡張期血圧が対照に比較し高血圧例で有意に高く、喫煙の頻度が対照に比較し高血圧例で有意に低かった。女性では、年齢、ＢＭＩ、高コレステロール血症と高尿酸血症の頻度および収縮期・拡張期血圧が対照に比較し高血圧例で有意に高かった。
【００６２】
男性１９多型、女性１８多型と高血圧との関連解析において、年齢、ＢＭＩ、および喫煙、糖尿病、高コレステロール血症、高尿酸血症の頻度を補正した多項ロジスティック回帰分析により男女それぞれ４個の多型が高血圧罹患と有意な関連を示した（ｄｏｍｉｎａｎｔ　または　ｒｅｃｅｓｓｉｖｅ　遺伝モデルのいずれかがＰ＜０．０５）（図６）。これらの多型の遺伝子型分布を（図７）に示す。
【００６３】
本発明者らは多項ロジスティック回帰分析のｓｔｅｐｗｉｓｅ　ｆｏｒｗａｒｄ　ｓｅｌｅｃｔｉｏｎ　ｍｅｔｈｏｄ　を行った（図８）。本法では、図６に示したそれぞれの多型の高血圧との関連におけるＰ値（より低いＰ値）に基づいてｄｏｍｉｎａｎｔ（優性）またはｒｅｃｅｓｓｉｖｅ（劣性）遺伝モデルを採用した。これらの遺伝子の染色体上の遺伝子座を（図８）に示す。
【００６４】
Ｔｕｍｏｒ　ｎｅｃｒｏｓｉｓ　ｆａｃｔｏｒ−α遺伝子の−８５０Ｃ→Ｔと−２３８Ｇ→Ａ多型は連鎖不平衡になかった［ｐａｉｒｗｉｓｅ　ｌｉｎｋａｇｅ　ｄｉｓｅｑｕｉｌｉｂｒｉｕｍ　ｃｏｅｆｆｉｃｉｅｎｔ，　Ｄ’　（Ｄ／Ｄｍａｘ），　ｏｆ　−０．３１０，　ｓｔａｎｄａｒｄｉｚｅｄ　ｌｉｎｋａｇｅ　ｄｉｓｅｑｕｉｌｉｂｒｉｕｍ　ｃｏｅｆｆｉｃｉｅｎｔ，　ｒ，　ｏｆ　−０．０２０；　Ｐ　＝　０．６１３，　ｃｈｉ−ｓｑｕａｒｅ　ｔｅｓｔ］．　Ｓｔｅｐｗｉｓｅ　ｆｏｒｗａｒｄ　ｓｅｌｅｃｔｉｏｎ　ｍｅｔｈｏｄにより算出した組み合わせ遺伝子型による高血圧罹患のオッズ比を、男性は図９と図１１（Ａ）に、女性は図１０と図１１（Ｂ）に示す。男性では４個の多型の組み合わせ遺伝子型（ＧＰＩａ（１６４８Ａ→Ｇ）多型、ＣＣＲ２（１９０Ｇ→Ａ）多型、ＡｐｏＣ−ＩＩＩ（１１００Ｃ→Ｔ）多型、ＧＰβ３（８２５Ｃ→Ｔ）多型）により、最大のオッズ比が５．３４となった（図９、図１１（Ａ））。女性では４個の多型の組み合わせ遺伝子型（ＴＮＦα（−８５０Ｃ→Ｔ）多型、ＴＮＦα（−２３８Ｇ→Ａ）多型、ＩＲＳ−１（３４９４Ｇ→Ａ）多型、ＧＰＩｂα（１０１８Ｃ→Ｔ）多型）により、　最大のオッズ比が４６．８６となった（図１０、図１１（Ｂ））。
【００６５】
以上のように、多項ロジスティック回帰分析により男性で４個、女性で４個の一塩基多型が高血圧と関連した。即ち、本発明者らは男性で１９個、女性で１８個の一塩基多型と高血圧との関連について１９４０例の大規模関連解析を行い、男女それぞれに高血圧罹患と関連する多型を４個ずつ同定した。さらに、多項ロジスティック回帰分析のｓｔｅｐｗｉｓｅ　ｆｏｒｗａｒｄ　ｓｅｌｅｃｔｉｏｎ　ｍｅｔｈｏｄにより男性では最大オッズ比５．３４、女性では最大オッズ比４６．８６を呈する組み合わせ遺伝子型を用いた高血圧の遺伝子リスク診断法を開発した。
【００６６】
血圧は、血管の構造や緊張性および体液の量と組成を調節する多様な生物システムの統合のみならず、これらのシステムの継続的に変化する生理的必要性に対する適応によって調節される（Ｌａｌｏｕｅｌ　Ｊ−Ｍ，　Ｒｏｈｒｗａｓｓｅｒ　Ａ．　Ｄｅｖｅｌｏｐｍｅｎｔ　ｏｆ　ｇｅｎｅｔｉｃ　ｈｙｐｏｔｈｅｓｅｓ　ｉｎ　ｅｓｓｅｎｔｉａｌ　ｈｙｐｅｒｔｅｎｓｉｏｎ．　Ｊ　Ｈｕｍ　Ｇｅｎｅｔ．　２００１；４６：２９９−３０６．）。本発明者らは血管生物学、血小板・白血球生物学、線溶系、脂質・糖・その他の代謝因子などの包括的視点に基づいて男性１９個、女性１８個の一塩基多型と高血圧との関連について検討した。実際、高血圧と関連した遺伝子群はその病態において多彩な役割を有していた。すなわち、血管生物学（Ｇ−ｐｒｏｔｅｉｎβ３　ｓｕｂｕｎｉｔ）、血管の炎症（ｔｕｍｏｒ　ｎｅｃｒｏｓｉｓ　ｆａｃｔｏｒ−α）、単球・リンパ球生物学（ｃｈｅｍｏｋｉｎｅ　ｒｅｃｅｐｔｏｒ　２）、血小板機能（ｇｌｙｃｏｐｒｏｔｅｉｎ　Ｉａ　ａｎｄ　ｇｌｙｃｏｐｒｏｔｅｉｎ　Ｉｂα）、脂質代謝（ａｐｏｌｉｐｏｐｒｏｔｅｉｎｓ　Ｃ−ＩＩＩ）、インスリン・グルコース代謝（ｉｎｓｕｌｉｎｒｅｃｅｐｔｏｒ　ｓｕｂｓｔｒａｔｅ−１）などである。本発明者らの開発した遺伝子リスク診断システムは高血圧罹患の最大オッズ比が男性で５．３４、女性で４６．８６を呈し、とりわけ女性においては、今までに報告された大規模関連解析の中で最大のオッズ比を示した。高血圧と関連した８個の多型の中で、腫瘍壊死因子α遺伝子の−８５０Ｃ→Ｔと−２３８Ｇ→Ａ多型が女性の高血圧リスクとして最大のオッズ比を示した。腫瘍壊死因子α遺伝子座はフランス系カナダ人において肥満に伴う高血圧と関連することが報告された（Ｐａｕｓｏｖａ　Ｚ，　Ｄｅｓｌａｕｒｉｅｒｓ　Ｂ，　Ｇａｕｄｅｔ　Ｄ，　Ｔｒｅｍｂｌａｙ　Ｊ，　Ｋｏｔｃｈｅｎ　ＴＡ，　Ｌａｒｏｃｈｅｌｌｅ　Ｐ，　Ｃｏｗｌｅｙ　ＡＷ，　Ｈａｍｅｔ　Ｐ．　Ｒｏｌｅ　ｏｆ　ｔｕｍｏｒ　ｎｅｃｒｏｓｉｓ　ｆａｃｔｏｒ−α　ｇｅｎｅ　ｌｏｃｕｓ　ｉｎ　ｏｂｅｓｉｔｙ　ａｎｄ　ｏｂｅｓｉｔｙ−ａｓｓｏｃｉａｔｅｄ　ｈｙｐｅｒｔｅｎｓｉｏｎ　ｉｎ　Ｆｒｅｎｃｈ　Ｃａｎａｄｉａｎｓ．　Ｈｙｐｅｒｔｅｎｓｉｏｎ．　２０００；３６：１４−１９．）。また腫瘍壊死因子α遺伝子の−３０８Ａ→Ｇ多型は統計的有意差はないが本態性高血圧と関連する傾向が認められた（Ｆｒｏｓｓａｒｄ　ＰＭ，　Ｇｕｐｔａ　Ａ，　Ｐｒａｖｉｃａ　Ｖ，　Ｐｅｒｒｙ　Ｃ，　Ｈｕｔｃｈｉｎｓｏｎ　ＩＶ，　Ｌｕｋｉｃ　ＭＬ．　Ａ　ｓｔｕｄｙ　ｏｆ　ｆｉｖｅ　ｈｕｍａｎ　ｃｙｔｏｋｉｎｅ　ｇｅｎｅｓ　ｉｎ　ｈｕｍａｎ　ｅｓｓｅｎｔｉａｌ　ｈｙｐｅｒｔｅｎｓｉｏｎ．　Ｍｏｌ　Ｉｍｍｕｎｏｌ．　２００２；３８：９６９−９７６．）。カナダ原住民においては、血清腫瘍壊死因子α濃度は収縮期血圧とインスリン抵抗性に関連することが報告された（Ｚｉｎｍａｎ　Ｂ，　Ｈａｎｌｅｙ　ＡＪＧ，　Ｈａｒｒｉｓ　ＳＢ，　Ｋｗａｎ　Ｊ，　Ｆａｎｔｕｓ　ＩＧ．　Ｃｉｒｃｕｌａｔｉｎｇ　ｔｕｍｏｒ　ｎｅｃｒｏｓｉｓ　ｆａｃｔｏｒ−α　ｃｏｎｃｅｎｔｒａｔｉｏｎｓ　ｉｎ　ａ　ｎａｔｉｖｅ　Ｃａｎａｄｉａｎ　ｐｏｐｕｌａｔｉｏｎ　ｗｉｔｈ　ｈｉｇｈ　ｒａｔｅｓ　ｏｆ　ｔｙｐｅ　２　ｄｉａｂｅｔｅｓ　ｍｅｌｌｉｔｕｓ．　Ｊ　Ｃｌｉｎ　Ｅｎｄｏｃｒｉｎｏｌ　Ｍｅｔａｂ．　１９９９；８４：２７２−２７８．）。腫瘍壊死因子αはさらに強力な血管収縮物質であるエンドセリン−１の産生を促進し（Ｋａｈａｌｅｈ　ＭＢ，　Ｆａｎ　ＰＳ．　Ｅｆｆｅｃｔ　ｏｆ　ｃｙｔｏｋｉｎｅｓ　ｏｎ　ｔｈｅ　ｐｒｏｄｕｃｔｉｏｎ　ｏｆ　ｅｎｄｏｔｈｅｌｉｎ　ｂｙ　ｅｎｄｏｔｈｅｌｉａｌ　ｃｅｌｌｓ．　Ｃｌｉｎ　Ｅｘｐ　Ｒｈｅｕｍａｔｏｌ．　１９９７；１５：１６３−１６７．）、血清中の両物質の濃度は正の相関を有することが肥満例で示された（Ｗｉｎｋｌｅｒ　Ｇ，　Ｌａｋａｔｏｓ　Ｐ，　Ｓａｌａｍｏｎ　Ｆ，　Ｎａｇｙ　Ｚ，　Ｓｐｅｅｒ　Ｇ，　Ｋｏｖａｃｓ　Ｍ，　Ｈａｒｍｏｓ　Ｇ，　Ｄｗｏｒａｋ　Ｏ，　Ｃｓｅｈ　Ｋ．　Ｅｌｅｖａｔｅｄ　ｓｅｒｕｍ　ＴＮＦ−α　ｌｅｖｅｌ　ａｓ　ａ　ｌｉｎｋ　ｂｅｔｗｅｅｎ　ｅｎｄｏｔｈｅｌｉａｌ　ｄｙｓｆｕｎｃｔｉｏｎ　ａｎｄ　ｉｎｓｕｌｉｎ　ｒｅｓｉｓｔａｎｃｅ　ｉｎ　ｎｏｒｍｏｔｅｎｓｉｖｅ　ｏｂｅｓｅ　ｐａｔｉｅｎｔｓ．　Ｄｉａｂｅｔｅｓ　Ｍｅｄ．　１９９９；１６：２０７−２１１．）。これらの知見および本発明者らの上記結果から、腫瘍壊死因子α遺伝子は高血圧感受性遺伝子座の候補である。他の６個の多型の中で、Ｇ−タンパク質β３サブユニット遺伝子の８２５Ｃ→Ｔ多型は高血圧と関連することが報告されている（Ｓｉｆｆｅｒｔ　Ｗ，　Ｒｏｓｓｋｏｐ　Ｄ，　Ｓｉｆｆｅｒｔ　Ｇ，　Ｂｕｓｃｈ　Ｓ，　Ｍｏｒｉｔｚ　Ａ，　Ｅｒｂｅｌ　Ｒ，　Ｓｈａｒｍａ　ＡＭ，　Ｒｉｔｚ　Ｅ，　Ｗｉｃｈｍａｎｎ　Ｈ−Ｅ，　Ｊａｋｏｂｓ　ＫＨ，　Ｈｏｒｓｔｈｅｍｋｅ　Ｂ．　Ａｓｓｏｃｉａｔｉｏｎ　ｏｆ　ａ　ｈｕｍａｎ　Ｇ−ｐｒｏｔｅｉｎ　β３　ｓｕｂｕｎｉｔ　ｖａｒｉａｎｔ　ｗｉｔｈ　ｈｙｐｅｒｔｅｎｓｉｏｎ．　Ｎａｔ　Ｇｅｎｅｔ．　１９９８；１８：４５−４８．）。またアポリポプロテインＣ−ＩＩＩ遺伝子多型は血圧に関連することが報告されている（Ｔａｓ　Ｓ，　Ａｂｄｅｌｌａ　ＮＡ．　Ｂｌｏｏｄ　ｐｒｅｓｓｕｒｅ，　ｃｏｒｏｎａｒｙ　ａｒｔｅｒｙ　ｄｉｓｅａｓｅ，　ａｎｄ　ｇｌｙｃａｅｍｉｃ　ｃｏｎｔｒｏｌ　ｉｎ　ｔｙｐｅ　２　ｄｉａｂｅｔｅｓ　ｍｅｌｌｉｔｕｓ：　ｒｅｌａｔｉｏｎ　ｔｏ　ａｐｏｌｉｐｏｐｒｏｔｅｉｎ−ＣＩＩＩ　ｇｅｎｅ　ｐｏｌｙｍｏｒｐｈｉｓｍ．　Ｌａｎｃｅｔ．　１９９４；３４３：１９９４−１９９５．）。ケモカイン受容体２遺伝子とインスリン受容体サブストレート１遺伝子は高血圧の病態に関与することが示されている（Ｂｕｓｈ　Ｅ，　Ｍａｅｄａ　Ｎ，　Ｋｕｚｉｅｌ　ＷＡ，　Ｄａｗｓｏｎ　ＴＣ，　Ｗｉｌｃｏｘ　ＪＮ，　ＤｅＬｅｏｎ　Ｈ，　Ｔａｙｌｏｒ　ＷＲ．　ＣＣ　ｃｈｅｍｏｋｉｎｅ　ｒｅｃｅｐｔｏｒ　２　ｉｓ　ｒｅｑｕｉｒｅｄ　ｆｏｒ　ｍａｃｒｏｐｈａｇｅ　ｉｎｆｉｌｔｒａｔｉｏｎ　ａｎｄ　ｖａｓｃｕｌａｒ　ｈｙｐｅｒｔｒｏｐｈｙ　ｉｎ　ａｎｇｉｏｔｅｎｓｉｎ　ＩＩ−ｉｎｄｕｃｅｄ　ｈｙ��ｅｒｔｅｎｓｉｏｎ．　Ｈｙｐｅｒｔｅｎｓｉｏｎ．　２０００；３６：３６０−３６３．、Ａｂｅ　Ｈ，　Ｙａｍａｄａ　Ｎ，　Ｋａｍａｔａ　Ｋ，　Ｋｕｗａｋｉ　Ｔ，　Ｓｈｉｍａｄａ　Ｍ，　Ｏｓｕｇａ　Ｊ，　Ｓｈｉｏｎｏｉｒｉ　Ｆ，　Ｙａｈａｇｉ　Ｎ，　Ｋａｄｏｗａｋｉ　Ｔ，　Ｔａｍｅｍｏｔｏ　Ｈ，　Ｉｓｈｉｂａｓｈｉ　Ｓ，　Ｙａｚａｋｉ　Ｙ，　Ｍａｋｕｕｃｈｉ　Ｍ．　Ｈｙｐｅｒｔｅｎｓｉｏｎ，　ｈｙｐｅｒｔｒｉｇｌｙｃｅｒｉｄｅｍｉａ，　ａｎｄ　ｉｍｐａｉｒｅｄ　ｅｎｄｏｔｈｅｌｉｕｍ−ｄｅｐｅｎｄｅｎｔ　ｖａｓｃｕｌａｒ　ｒｅｌａｘａｔｉｏｎ　ｉｎ　ｍｉｃｅ　ｌａｃｋｉｎｇ　ｉｎｓｕｌｉｎ　ｒｅｃｅｐｔｏｒ　ｓｕｂｓｔｒａｔｅ−１．　Ｊ　Ｃｌｉｎ　Ｉｎｖｅｓｔ．　１９９８；１０１：１７８４−１７８８．）。さらに、血小板の活性化は本態性高血圧の病態において役割を有することが報告されている（Ａｎｄｒｉｏｌｉ　Ｇ，　Ｏｒｔｏｌａｎｉ　Ｒ，　Ｆｏｎｔａｎａ　Ｌ，　Ｇａｉｎｏ　Ｓ，　Ｂｅｌｌａｖｉｔｅ　Ｐ，　Ｌｅｃｈｉ　Ｃ，　Ｍｉｎｕｚ　Ｐ，　Ｍａｎｚａｔｏ　Ｆ，　Ｔｒｉｄｅｎｔｅ　Ｇ，　Ｌｅｃｈｉ　Ａ．　Ｓｔｕｄｙ　ｏｆ　ｐｌａｔｅｌｅｔ　ａｄｈｅｓｉｏｎ　ｉｎ　ｐａｔｉｅｎｔｓ　ｗｉｔｈ　ｕｎｃｏｍｐｌｉｃａｔｅｄ　ｈｙｐｅｒｔｅｎｓｉｏｎ．　Ｊ　Ｈｙｐｅｒｔｅｎｓ．　１９９６；１４：１２１５−１２２１．、Ｄｏｃｋｒｅｌｌ　ＭＥ，　Ｗａｌｋｅｒ　ＢＲ，　Ｎｏｏｎ　ＪＰ，　Ｗａｔｔ　ＧＣ，　Ｗｉｌｌｉａｍｓ　ＢＣ，　Ｗｅｂｂ　ＤＪ．　Ｐｌａｔｅｌｅｔ　ａｇｇｒｅｇａｔｉｏｎ　ｉｎ　ｙｏｕｎｇ　ｍｅｎ　ｃｏｎｔｒａｓｔｉｎｇ　ｐｒｅｄｉｓｐｏｓｉｔｉｏｎ　ｔｏ　ｈｉｇｈ　ｂｌｏｏｄ　ｐｒｅｓｓｕｒｅ．Ａｍ　Ｊ　Ｈｙｐｅｒｔｅｎｓ．　１９９９；１２：１１５−１１９．、Ｂｅｒｅｃｚｋｉ　Ｃ，　Ｔｕｒ　Ｓ，　Ｎｅｍｅｔｈ　Ｉ，　Ｓａｌｌａｉ　Ｅ，　Ｔｏｒｄａｙ　Ｃ，　Ｎａｇｙ　Ｅ，　Ｈａｓｚｏｎ　Ｉ，　Ｐａｐｐ　Ｆ．　Ｔｈｅ　ｒｏｌｅｓ　ｏｆ　ｐｌａｔｅｌｅｔ　ｆｕｎｃｔｉｏｎ，　ｔｈｒｏｍｂｏｘａｎｅ，　ｂｌｏｏｄ　ｌｉｐｉｄｓ，　ａｎｄ　ｎｉｔｒｉｃ　ｏｘｉｄｅ　ｉｎ　ｈｙｐｅｒｔｅｎｓｉｏｎ　ｏｆ　ｃｈｉｌｄｒｅｎ　ａｎｄ　ａｄｏｌｅｓｃｅｎｔｓ．　Ｐｒｏｓｔａｇｌａｎｄｉｎｓ　Ｌｅｕｋｏｔ　Ｅｓｓｅｎｔ　Ｆａｔｔｙ　Ａｃｉｄｓ．　２０００；６２：２９３−２９７．）。グリコプロテインＩａとグリコプロテインＩｂα遺伝子の多型は冠動脈疾患と関連することが報告されているが（Ｋｒｏｌｌ　Ｈ，　Ｇａｒｄｅｍａｎｎ　Ａ，　Ｆｅｃｈｔｅｒ　Ａ，　Ｈａｂｅｒｂｏｓｃｈ　Ｗ，　Ｓａｎｔｏｓｏ　Ｓ．　Ｔｈｅ　ｉｍｐａｃｔ　ｏｆ　ｔｈｅ　ｇｌｙｃｏｐｒｏｔｅｉｎ　Ｉａ　ｃｏｌｌａｇｅｎ　ｒｅｃｅｐｔｏｒ　ｓｕｂｕｎｉｔ　Ａ１６４８Ｇ　ｇｅｎｅ　ｐｏｌｙｍｏｒｐｈｉｓｍ　ｏｎ　ｃｏｒｏｎａｒｙ　ａｒｔｅｒｙ　ｄｉｓｅａｓｅ　ａｎｄ　ａｃｕｔｅ　ｍｙｏｃａｒｄｉａｌ　ｉｎｆａｒｃｔｉｏｎ．　Ｔｈｒｏｍｂ　Ｈａｅｍｏｓｔ．　２０００；８３：３９２−３９６．、Ｍｕｒａｔａ　Ｍ，　ＭａｔｓｕｂａｒａＹ，　Ｋａｗａｎｏ　Ｋ，　ｅｔ　ａｌ．　Ｃｏｒｏｎａｒｙ　ａｒｔｅｒｙ　ｄｉｓｅａｓｅ　ａｎｄ　ｐｏｌｙｍｏｒｐｈｉｓｍｓ　ｉｎ　ａ　ｒｅｃｅｐｔｏｒ　ｍｅｄｉａｔｉｎｇ　ｓｈｅａｒ　ｓｔｒｅｓｓ−ｄｅｐｅｎｄｅｎｔ　ｐｌａｔｅｌｅｔ　ａｃｔｉｖａｔｉｏｎ．　Ｃｉｒｃｕｌａｔｉｏｎ．　１９９７；９６：３２８１−６．）、これらの多型と高血圧との関連は報告されていない。
【００６７】
本実施例で検討した多型のいくつかは、その近傍に存在する高血圧発症と真に関連する遺伝子の多型と連鎖不平衡にある可能性がある。しかしながら、著者らの結果は、グリコプロテインＩａ、ケモカイン受容体２遺伝子、アポリポプロテインＣ−ＩＩＩ遺伝子、Ｇ−タンパク質β３サブユニット遺伝子が日本人男性において、腫瘍壊死因子α遺伝子、インスリン受容体サブストレート１遺伝子、グリコプロテインＩｂα遺伝子が日本人女性において高血圧感受性遺伝子座であることを示した。さらに、これらの遺伝子多型の組み合わせ遺伝子型は高血圧の遺伝的リスク診断に有用であることも示した。本発明者らの遺伝子診断法は高血圧の一次予防のみならず高血圧が原因で生じる心血管疾患、脳卒中、腎疾患などの予防にも貢献できると考えられる。
【００６８】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【００６９】
【発明の効果】
本発明によれば高血圧に関連する遺伝子多型が解析され、そして核酸試料の遺伝子型が検出される。この遺伝子型の検出によって得られる多型情報を用いることにより、高精度で予知確率の高い高血圧のリスク診断を行うことができる。したがって、本発明は高血圧の発症リスクを事前に知る有効な手段となり、高血圧の一次予防はもちろんのこと高血圧が原因で生じる心血管疾患、脳卒中、腎疾患などの予防への貢献が期待できる。また、本発明によれば高血圧の診断に有用な補助的情報が得られ、より適切な治療を可能とし予後の改善などを図ることができる。更に本発明は高血圧の発症メカニズムを解明する上での有効な情報を提供することから、高血圧の予防法の確立にとって極めて重要な一手段ともなる。
【００７０】
【配列表】
2004113094.tif 000014
2004113094.tif 000015
2004113094.tif 000016
2004113094.tif 000017
2004113094.tif 000018
2004113094.tif 000019
2004113094.tif 000020
2004113094.tif 000021
2004113094.tif 000022
2004113094.tif 000023
2004113094.tif 000024
2004113094.tif 000025
2004113094.tif 000026
2004113094.tif 000027
2004113094.tif 000028
2004113094.tif 000029
2004113094.tif 000030
2004113094.tif 000031
2004113094.tif 000032
2004113094.tif 000033
2004113094.tif 000034
2004113094.tif 000035
2004113094.tif 000036
2004113094.tif 000037
2004113094.tif 000038
2004113094.tif 000039
2004113094.tif 000040
2004113094.tif 000041
2004113094.tif 000042
2004113094.tif 000043
2004113094.tif 000044
2004113094.tif 000045
2004113094.tif 000046
2004113094.tif 000047
2004113094.tif 000048
2004113094.tif 000049
2004113094.tif 000050
2004113094.tif 000051
2004113094.tif 000052
2004113094.tif 000053
2004113094.tif 000054
2004113094.tif 000055
2004113094.tif 000056
2004113094.tif 000057
2004113094.tif 000058
2004113094.tif 000059
2004113094.tif 000060
2004113094.tif 000061
2004113094.tif 000062
2004113094.tif 000063
2004113094.tif 000064
2004113094.tif 000065
2004113094.tif 000066
【図面の簡単な説明】
【図１】図１は実施例におけるスクリーニング関連解析において検討した１１２遺伝子多型をまとめた表である。
【図２】図２は同じく実施例におけるスクリーニング関連解析において検討した１１２遺伝子多型をまとめた表である。
【図３】図３は実施例において遺伝子型を決定するために使用されるプライマー（上から順に配列番号１６、１７、１８、１４、１５、１１、１２、１３、８、９、１０、１９、２０、２１、２２、２３、２４、２５、２６、２７、２８、２９、３０）及びプローブ（上から順に配列番号３１、３２、３３、３４）及びその他の条件をまとめた表である。図中、ＦＩＴＣはフルオレセインイソチオシアネートを、ＴｘＲはテキサスレッドを、Ｂｉｏｔｉｎはビオチンをそれぞれ表す。
【図４】図４は実施例の関連解析において検討した一塩基多型をまとめた表である。
【図５】図５は実施例における関連解析の対象とした男性１１０７例及び女性８３３例の背景データをまとめた表である。年齢、Ｂｏｄｙ　ｍａｓｓ　ｉｎｄｅｘ、収縮期血圧、拡張期血圧、血清クレアチニンの各データは平均±標準偏差で表される。表中、＊１はＰ＜０．０００１を、＊２はＰ＜０．００１を、＊３はＰ＜０．０１をそれぞれ表す。
【図６】図６は関連解析の対象とした遺伝子多型と多項ロジスティック回帰分析の結果をまとめた表である。各ＳＮＰにおいて低い方のＰ値は太字で表される。
【図７】図７は高血圧と関連のある遺伝子多型について遺伝子型の分布を示した図である。
【図８】図８は高血圧と関連のある遺伝子多型における多項ロジスティック回帰分析のｓｔｅｐ　ｆｏｒｗａｒｄ　ｓｅｌｅｃｔｉｏｎ　ｍｅｔｈｏｄを行った結果を示す表である。
【図９】図９は男性における４個の組合せ遺伝子多型を用いた高血圧の遺伝的リスク診断を行った結果を示す表である。
【図１０】図１０は女性における４個の組合せ遺伝子多型を用いた高血圧の遺伝的リスク診断を行った結果を示す表である。
【図１１】図１１は高血圧のリスク診断における累積オッズ比と一塩基多型の数の関連を表したグラフである。（Ａ）は男性、（Ｂ）は女性における関連を示す。（Ａ）における各ＳＮＰは、ＳＮＰ１：ＧＰＩａ（１６４８Ａ→Ｇ）多型、ＳＮＰ２：ＣＣＲ２（１９０Ｇ→Ａ）多型、ＳＮＰ３：ＡｐｏＣ−ＩＩＩ（１１００Ｃ→Ｔ）多型、ＳＮＰ４：ＧＰβ３（８２５Ｃ→Ｔ）多型である。（Ｂ）における各ＳＮＰは、ＳＮＰ１：ＴＮＦα（−８５０Ｃ→Ｔ）多型、ＳＮＰ２：ＴＮＦα（−２３８Ｇ→Ａ）多型、ＳＮＰ３：ＩＲＳ−１（３４９４Ｇ→Ａ）多型、ＳＮＰ４：ＧＰＩｂα（１０１８Ｃ→Ｔ）多型である。
【図１】
2004113094.tif 000067
【図２】
2004113094.tif 000068
【図３】
2004113094.tif 000069
【図４】
2004113094.tif 000070
【図５】
2004113094.tif 000071
【図６】
2004113094.tif 000072
【図７】
2004113094.tif 000073
【図８】
2004113094.tif 000074
【図９】
2004113094.tif 000075
【図１０】
2004113094.tif 000076
【図１１】
2004113094.tif 000077